(57)【要約】  本発明は、形状安定コイル状コラーゲンキャリアを格納するためのパッケージに関する。形状安定コイル状コラーゲンキャリアは、コラーゲン層と、トロンビンおよびフィブリノゲンを含むコーティング層とを備え、長手軸周りにコラーゲンキャリアが多重巻きされ、当該コーティング層が各外側巻部の外面を構成するように少なくとも１つの外側巻部が配向した細長要素の形状を有する。このパッケージは、コイル状コラーゲンキャリアの少なくとも一部が含まれた区画を有するコンテナ部を備えているのが好ましい。
2015525090.tif 000002
【特許請求の範囲】
【請求項１】
形状安定コイル状コラーゲンキャリア（２）を格納するためのパッケージ（１）であって、該パッケージ（１）は形状安定コイル状コラーゲンキャリアを含み、該形状安定コイル状コラーゲンキャリアは、コラーゲン層と、トロンビンおよびフィブリノゲンを含むコーティング層とを備え、長手軸周りに当該コラーゲンキャリアが多重巻きされ、前記コーティング層が各外側巻部の外面を構成するように少なくとも１つの当該外側巻部が配向した細長要素の形状を有する、パッケージ（１）において、
前記コイル状コラーゲンキャリア（２）の少なくとも一部が含まれた区画（４）を有するコンテナ部（３）であって、当該区画（４）が当該コンテナ部（３）の上面（１４）に設けられた開口（５）を有する、コンテナ部（３）と、
前記開口（５）の周縁に位置する少なくとも１つの空洞（６）であって、前記区画（４）および前記上面（１４）へと開口した、空洞（６）と、
を備えたパッケージ（１）。
【請求項２】
前記開口（５）が大略矩形状であって、当該開口の長さおよび幅が、前記コイル状コラーゲンキャリアの長さおよび直径よりもそれぞれ大きい、請求項１に記載のパッケージ。
【請求項３】
空洞（６）が、前記開口（５）の短辺のうちの一方に位置する、請求項２に記載のパッケージ。
【請求項４】
空洞（６）が、前記開口（５）の長辺のうちの一方に位置する、請求項１〜３のいずれか一項に記載のパッケージ。
【請求項５】
前記空洞（６）が、前記開口（５）の周縁の外部における前記上面（１４）の位置から前記区画（４）の底部に向かって延びた壁部（６ａ）を備え、当該空洞の壁部が傾斜または湾曲して延びた、請求項２に記載のパッケージ。
【請求項６】
前記パッケージの前記開口（５）を覆うカバー（７）を備えた、請求項１〜５のいずれか一項に記載のパッケージ。
【請求項７】
前記カバー（７）が、指の使用等により手動で取り外し可能なように前記コンテナ部（３）に取り付けられた、請求項６に記載のパッケージ。
【請求項８】
前記カバー（７）が、入熱溶接または接着によって、前記コンテナ部（３）の上面（１４）に取り付けられた、請求項６または７に記載のパッケージ。
【請求項９】
前記カバー（７）が、前記開口（５）および前記空洞（６）を取り囲む前記コンテナ部（３）の外周縁（１３）に沿って当該コンテナ部（３）に取り付けられた、請求項６〜８のいずれか一項に記載のパッケージ。
【請求項１０】
前記カバー（７）が、前記コンテナ部（３）に取り付けられていないプルタブ（７ｂ）を有する、請求項６〜９のいずれか一項に記載のパッケージ。
【請求項１１】
前記カバー（７）が、気体および／または液体透過性である、請求項１〜１０のいずれか一項に記載のパッケージ。
【請求項１２】
前記カバーが、医療用高密度ポリエチレン封止カバーホイルで構成された、請求項１１に記載のパッケージ。
【請求項１３】
前記コンテナ部（３）がシート状であり、前記区画（４）および前記空洞（６）が当該シート中の凹部として形成された、請求項１〜１２のいずれか一項に記載のパッケージ。
【請求項１４】
前記コンテナ部（３）が、ポリエチレンテレフタレート（ＰＥＴ）等のプラスチックで構成された、請求項１〜１３のいずれか一項に記載のパッケージ。
【請求項１５】
前記コンテナ部（３）が、射出成形、ブロー成形、真空成形、または回転成形等により熱成形された、請求項１〜１４のいずれか一項に記載のパッケージ。
【請求項１６】
前記コンテナ部（３）の上面（１４）が水平であり、前記区画（４）が直方体状であって、水平な底部（９）、２つの側壁（７）、および端壁（８）を備えた、請求項１〜１５のいずれか一項に記載のパッケージ。
【請求項１７】
前記底部（９）と前記側壁（７）および前記端壁（８）との交差部が、それぞれ丸みを帯びた、請求項１６に記載のパッケージ。
【請求項１８】
前記空洞（６）が、前記上面（１４）の水平高さから前記区画（４）の底部に向かって、当該区画（４）の高さの少なくとも半分ほどの位置等まで延びた、請求項１６または１７に記載のパッケージ。
【請求項１９】
コイル状コラーゲンキャリアを含む前記コンテナ部（３）および前記カバー（７）が内部に配置された第２のコンテナ（１０）をさらに備え、当該第２のコンテナ（１０）が、液密材料で構成され、閉じると液密になる、請求項６〜１８のいずれか一項に記載のパッケージ。
【請求項２０】
前記第２のコンテナ（１０）の内部かつコイル状コラーゲンキャリアを含む前記コンテナ部（３）および前記カバー（７）の外部に配置された乾燥剤をさらに備えた、請求項１９に記載のパッケージ。
【請求項２１】
前記第２のコンテナ（１０）が、コイル状コラーゲンキャリアを含む前記コンテナ部（３）、前記カバー（７）、および前記乾燥剤が内部に配置され、破るか引っ張って開けられるポーチの形態である、請求項１９または２０に記載のパッケージ。
【請求項２２】
前記第２のコンテナ（１０）が、アルミニウムを含むホイルまたはアルミニウムから成るホイルで構成された、請求項１９〜２１のいずれか一項に記載のパッケージ。
【請求項２３】
前記コンテナ部（３）が、前記区画（４）の底部（９）の外面の下方または同じ高さにおける共通水平面内に分布した一連の支持点または支持面（１２）を規定する１または複数の支持要素（１１）をさらに備え、当該支持点または支持面（１２）が当該底部（９）の外部に分布した、請求項１〜２２のいずれか一項に記載のパッケージ。
【請求項２４】
前記支持要素（１１）が、前記コンテナ部（３）における凹部として形成された下方突出要素である、請求項２３に記載のパッケージ。
【請求項２５】
前記支持点または支持面（１２）が外接矩形に含まれ、当該外接矩形の角部が、当該支持点または各面（１２）の角部によって規定され、当該外接矩形の幾何学的中心と前記区画（４）の底部の外面の幾何学的中心とが一致した、請求項２３または２４に記載のパッケージ。
【発明の詳細な説明】
【技術分野】
【０００１】
本発明は、形状安定コイル状コラーゲンキャリアを格納するためのパッケージに関する。形状安定コイル状コラーゲンキャリアは、コラーゲン層と、トロンビンおよびフィブリノゲンを含むコーティング層とを備え、長手軸周りにコラーゲンキャリアが多重巻きされ、当該コーティング層が各外側巻部の外面を構成するように少なくとも１つの外側巻部が配向した細長要素の形状を有する。このパッケージは、コイル状コラーゲンキャリアの少なくとも一部が含まれた区画を有するコンテナ部を備えているのが好ましい。この区画は、コンテナ部の上面に設けられた開口を有する。また、このコンテナ部は、上記開口の周縁に位置する少なくとも１つの空洞を備え、当該空洞が、上記区画および上面へと開口しているのが好ましい。
【０００２】
発明の背景
観血的手術においては、医療用スポンジを用いて局所出血を止める（止血する）。これらは、血液、その他の体液、または生理食塩水と接触することで、スポンジを組織表面に接着させる凝血塊を形成するように反応して、数分で止血に至る。医療用スポンジは、ＥＰ２０５２７４６に開示のセルローススポンジ等、以下に規定するコラーゲンキャリア等のスポンジである。
【０００３】
コラーゲンは、何十年にもわたり、止血剤として利用されてきた。ＴａｃｈｏＳｉｌ（登録商標）という商標の下、コラーゲンのキャリアとしての利点に対して、フィブリン接着剤の止血特性を組み合わせた製品が開発・製造されている。ＴａｃｈｏＳｉｌ（登録商標）は、フィブリン接着剤の活性成分であるヒトフィブリノゲンおよびヒトトロンビンを被覆した既製のコラーゲンキャリアである。この製品については、ＷＯ０２／０５８７４９、ＷＯ０２／０７０５９４、およびＷＯ０２／０５８７５０に記載されている。
【０００４】
ＴａｃｈｏＳｉｌ（登録商標）は、コラーゲンスポンジ表面上の乾燥コーティングとして、フィブリノゲンおよびトロンビンを含有する。このコーティングの各成分は、たとえば血液、リンパ液等の体液、または生理食塩水と接触して分解されるとともに、一部が創面中に拡散する。その後、フィブリノゲンとトロンビン間の反応によって、生理学的な血液凝固の最終段階が始まる。フィブリノゲンはフィブリンモノマーに変換され、自然に重合してフィブリン凝血塊となり、コラーゲンスポンジをしっかりと創面に保持する。
【０００５】
ＴａｃｈｏＳｉｌ（登録商標）は、２００４年からＮｙｃｏｍｅｄが販売しており、観血的手術において、止血および封止に利用されている。通常、従来の観血的手術においては、皮膚を長く切開する必要がある。
【０００６】
観血的手術とは対照的に、低侵襲手技は、同じ目的の観血的手術よりも侵襲の少ない任意の（外科的またはその他の）手法である。低侵襲手術（ＭＩＳ：Ｍｉｎｉｍａｌｌｙ  Ｉｎｖａｓｉｖｅ  Ｓｕｒｇｅｒｙ）の手技は、たとえば短切開等の１または複数のアクセス開口（鍵穴手術）または元々ある身体開口を通して行う。そこで、ＭＩＳ手技においては、これらのアクセス開口を通して配置される特別設計の手術器具が必要となる。腹部手術の場合、これら器具のアクセスは通常、標準的な内径が５〜１２ｍｍの剛体管として一般的ないわゆるトロカールを介して行う。ＭＩＳに用いるアクセス開口のサイズが小さいと、開口に挿入可能な対象が制限される。このため、ＭＩＳ手技に用いるすべての手術用具および材料は、アクセス開口を通して挿入可能なサイズおよび状態とする必要があり、当然のことながら、すべての医療用具と同様に、無菌化する必要がある。そこで、ほとんどの場合、用具および材料は、ＭＩＳ用に特別設計する。
【０００７】
ＷＯ９７／２１３８３（Ｎｙｃｏｍｅｄ  Ａｒｚｎｅｉｍｉｔｔｅｌ  ＧｍｂＨ）は、適用部材を備えた手術器具を開示している。この適用部材は、棒状部を備えており、たとえばＴａｃｈｏＣｏｍｂ（登録商標）（被覆ウマコラーゲンスポンジ／Ｎｙｃｏｍｅｄ）等の１枚の手術材料を丸めることによって、当該適用部材の棒状部上に手術材料のカーペット状ロールを形成可能となっている。ただし、コラーゲンキャリア等の手巻き手術材料に用いるこの手動器具には、以下に記述する通り、いくつかの欠点がある。ＷＯ０２／０５８７４９は、ＴａｃｈｏＣｏｍｂ（登録商標）の内視鏡装置への非無菌挿入を開示しており、サンプルを手動で平板化することによって、案内用「ピン」周りに手動で巻き付けられるようにする。ＷＯ０２／０５８７４９は、コラーゲン製品が「乾燥状態で曲げたり丸めたりするのに十分な柔軟性を保つ必要がある」ことを教示している（２９頁の１９〜２０行）。したがって、ＷＯ０２／０５８７４９は、ＴａｃｈｏＣｏｍｂ（登録商標）の手動（すなわち、手巻き）非無菌巻き取りにのみ関し、この巻き取りプロセスが「乾燥」している必要があることをさらに教示している。適用部材または案内用ピンを用いてコラーゲンキャリアを手巻きする上記方法に関しては、（たとえば、１つのコラーゲンキャリアでは完全な止血に不十分であるか、または最初のコラーゲンキャリアの適用に誤りがあるため）複数のロール状／コイル状コラーゲンキャリアを相次いで適用する必要がある場合に、重大な問題が発生する。この場合は、同じ適用部材を用いて２番目のコラーゲンキャリアを適用することができない。その代りに、複数の適用部材を用意しておく必要がある。これは、ＴａｃｈｏＣｏｍｂ（登録商標）製品等のコラーゲンを用いた製品を正しく適用するのに、コラーゲンキャリアの付着性が作動しないように、適用部材を完全に乾燥させた状態とする必要があるためである。コラーゲンキャリアは、濡れた適用部材または案内用ピンとの接触により途中で濡れてしまうと、適用部材／案内用ピンへの貼り付きおよび／または使用不能な粘着性の材料塊化が発生することになる。コラーゲンを用いた手術用シートを丸める別の方法においては、タバコを丸めるのと同様に外科医が手を動かす。ただし、この場合を含む上記すべての手巻きの場合には、ロール状の手術用製品が形状安定ではないため、体内への挿入後に、制御された態様で操作するのはより困難である。形状安定ではない製品は、展開プロセス時に非制御状態で「勢いよく開く」ことにより、誤って付着する場合がある。これは、ＭＩＳ手術の場合の特定の問題であって、製品がいったん身体に入ると、手術用シートには、内視鏡手術器具を介して間接的にのみアクセス可能なため、操作がより困難である。コラーゲンを用いたロール状手術用製品が形状安定ではないことの影響を低減する方法として、ロール状製品を縫合糸とともに固定することが挙げられるが、この手段は、コイル状キャリアが生体内で展開されておらず、コイル状態で患者内に保持されている場合（たとえば、腎部分切除術の手技）にのみ関連する。
【０００８】
本発明によれば、コイル状コラーゲンキャリア、特に形状安定コイル状コラーゲンキャリアの生産は可能となっているため、そのようなコイル状コラーゲンキャリアを格納する必要がある。パッケージとして適した手段を提供する際に考慮すべき課題として、コイル状コラーゲンキャリアは、パッケージから容易に取り出し可能であることと、たとえばコーティングが剥がれ落ちないように、少なくともある程度まではやや脆弱な要素であることとが挙げられる。
【０００９】
発明の概要
本発明の目的は、コイル状コラーゲンキャリアのパッケージを提供することにある。
【００１０】
第１の態様において、本発明は、形状安定コイル状コラーゲンキャリアを格納するためのパッケージであって、コラーゲン層と、トロンビンおよびフィブリノゲンを含むコーティング層とを備え、長手軸周りに当該コラーゲンキャリアが多重巻きされ、コーティング層が各外側巻部の外面を構成するように少なくとも１つの外側巻部が配向した細長要素の形状を有する形状安定コイル状コラーゲンキャリアを格納するパッケージにおいて、
コイル状コラーゲンキャリアの少なくとも一部が含まれた区画を有するコンテナ部であって、当該区画が当該コンテナ部の上面に設けられた開口を有する、コンテナ部と、
開口の周縁に位置する少なくとも１つの空洞であって、上記区画および上面へと開口した、空洞と、
を備えたパッケージに関する。
【００１１】
好適な実施形態において、本発明は、形状安定コイル状コラーゲンキャリアを格納するためのパッケージであって、当該パッケージが形状安定コイル状コラーゲンキャリアを含み、当該形状安定コイル状コラーゲンキャリアが、コラーゲン層と、トロンビンおよびフィブリノゲンを含むコーティング層とを備え、長手軸周りに当該コラーゲンキャリアが多重巻きされ、コーティング層が各外側巻部の外面を構成するように少なくとも１つの外側巻部が配向した細長要素の形状を有する、パッケージにおいて、
コイル状コラーゲンキャリアの少なくとも一部が含まれた区画を有するコンテナ部であって、当該区画が当該コンテナ部の上面に設けられた開口を有する、コンテナ部と、
開口の周縁に位置する少なくとも１つの空洞であって、上記区画および上面へと開口した、空洞と、
を備えたパッケージに関する。
【００１２】
上記開口は、大略矩形状であって、当該開口の長さおよび幅が、コイル状コラーゲンキャリアの長さおよび直径よりもそれぞれ大きいのが好ましい。
【００１３】
好適な実施形態において、空洞は、上記開口の短辺のうちの一方に位置する。この代替または組み合わせとして、空洞は、上記開口の長辺のうちの一方に位置する。
【００１４】
上記空洞は、上記開口の周縁の外部における上記上面の位置から上記区画の底部に向かって、当該区画の高さの少なくとも半分ほどの位置等まで延びた壁部を備え、当該空洞の壁部が傾斜または湾曲して延びているのが好ましい。
【００１５】
本発明の好適な実施形態において、このパッケージは、当該パッケージの上記開口を覆うカバーを備えていてもよい。このようなカバーは、好ましくは指の使用等により手動で取り外し可能なようにコンテナ部に取り付けられていてもよい。また、カバーは、好ましくは入熱溶接または接着によって、コンテナ部の上面に取り付けられていてもよい。
【００１６】
カバーは、好ましくは上記開口および空洞を取り囲むコンテナ部の外周縁に沿って当該コンテナ部に取り付けられていてもよい。
【００１７】
カバーは、好ましくはコンテナ部に取り付けられていないプルタブを有していてもよい。
【００１８】
カバーは、好ましくは気体および／または液体透過性であってもよい。また、カバーは、好ましくは医療用高密度ポリエチレン封止カバーホイルで構成されていてもよい。
【００１９】
好適な実施形態において、コンテナ部は、上記区画および空洞が凹部として形成されたシート状であってもよい。
【００２０】
コンテナ部は、好ましくは熱可塑性プラスチック等の１または複数のプラスチック、好ましくはたとえばＰＢＴ（ポリブチレンテレフタレート）、ＰＥＴＧ（グリコール変性ポリエチレンテレフタレート）、およびＰＥＴ（ポリエチレンテレフタレート）から選択される熱可塑性ポリエステル、好ましくはＰＥＴで構成可能である。
【００２１】
この代替または組み合わせとして、コンテナ部の材料は、ＰＶＣおよび／もしくはＸ線検出可能なプラスチック、ポリウレタン、またはアルミホイル等のナイロン被覆（ポリウレタン添加）および／もしくは柔軟ホイルで構成可能である。手術用プラスチックは、たとえば手術用ポリ塩化ビニル（ＰＶＣ）、ポリエチレンテレフタレート、ポリウレタン、および手術用シリコンゴム材料等、適当な防水材の好適な一群である。
【００２２】
コンテナ部は、好ましくは射出成形、ブロー成形、真空成形、または回転成形等により熱成形されていてもよい。
【００２３】
多くの好適な実施形態において、コンテナ部の上面は水平であってもよく、また、上記区画は直方体状であってもよい。これにより、当該区画は、水平な底部と、２つの垂直な側壁と、上記空洞が配置された場合に上記上面から当該区画の底部まで延びる垂直な端壁とを有する。
【００２４】
上記底部と上記側壁および端壁との交差部は、好ましくはそれぞれ丸みを帯びていてもよい。
【００２５】
上記空洞は、好ましくは上記上面の水平高さから上記区画の底部に向かって、当該区画の高さの少なくとも半分ほどの位置等まで延びていてもよい。
【００２６】
本発明に係るパッケージの好適な実施形態は、コイル状コラーゲンキャリアを含むコンテナ部およびカバーが内部に配置された第２のコンテナをさらに備えていてもよい。当該第２のコンテナは、好ましくは液密材料で構成され、閉じると液密になるものであってもよい。
【００２７】
本発明に係るパッケージは、第２のコンテナの内部かつコイル状コラーゲンキャリアを含むコンテナ部およびカバーの外部に配置された乾燥剤をさらに備えていてもよい。
【００２８】
第２のコンテナは、好ましくはコイル状コラーゲンキャリアを含むコンテナ部、カバー、および乾燥剤が内部に配置されたポーチの形態であってもよい。当該ポーチは、破るか引っ張って開けられるのが好ましい。
【００２９】
第２のコンテナは、アルミニウム、プラスチック被覆金属等を含むホイルまたはそれらから成るホイルで構成されているのが好ましい。
【００３０】
本発明に係るパッケージは、上記区画の底部の外面の下方または同じ高さにおける共通水平面内に分布した一連の支持点または支持面を規定する１または複数の支持要素をさらに備えていてもよい。このような支持点または支持面は、好ましくは当該底部の外部に分布していてもよい。
【００３１】
支持要素は、好ましくはコンテナ部における凹部として形成された下方突出要素であってもよい。したがって、当該凹部は、好適な実施形態によれば、本発明に係るパッケージにおいて空のままとされる空洞を提供してもよい。すなわち、これらの空洞には、要素が配置されない。
【００３２】
好適な実施形態において、上記支持点または支持面は外接矩形に含まれ、当該外接矩形の角部が、当該支持点または各面の角部によって規定され、当該外接矩形の幾何学的中心と上記区画の底部の外面の幾何学的中心とが一致していてもよい。
【００３３】
定義
本発明を詳述するのに先立って、まず、以下の用語および慣例を定義する。
【００３４】
本文脈において、用語「コラーゲンキャリア」は、コラーゲン層および／またはコーティング層を備えたコーティング層またはそれらから成るコーティング層を有し得るコラーゲンを含んだ任意の適当なキャリアである。一実施形態において、コラーゲンキャリアは、ロール状またはコイル状にすることができる（本明細書においては、「ロール状」および「コイル状」という表記を区別なく使用する）。別の実施形態において、コラーゲンキャリアは、コイリングの後に展開または非コイル状態とすることができる。すなわち、展開または非コイル状コラーゲンキャリアとすることができる（本明細書においては、「展開」および「非コイル」という用語を区別なく使用する）。一実施形態において、本発明のコイル状コラーゲンキャリアは、圧縮したコイル状コラーゲンキャリアであってもよい。また、別の実施形態においては、圧縮したコイル状コラーゲンキャリアを展開したものであってもよい。コラーゲンキャリアは、Ｉ型繊維性コラーゲンおよびコーティングを含むコラーゲンスポンジまたは本質的にそれらから成るコラーゲンスポンジであることが好ましい。
【００３５】
キャリアの材料は、哺乳類、遺伝子移植、または遺伝子組み換え由来のＩ型コラーゲン材料を含むコラーゲンスポンジであるのが好ましいが、たとえば、Ｉ型、ＩＩ型、ＩＩＩ型、ＩＶ型、ＶＩＩ型、および／またはＸ型コラーゲンのうちの１または複数等、別の種類のコラーゲンを含むことも可能である。コラーゲンスポンジ等のコラーゲンキャリアは、ヒト凝固因子であるフィブリノゲンおよびトロンビンと、任意選択としてリボフラビン（コラーゲンキャリアの活性面を識別するのに役立つ黄色着色剤）とによって被覆されているのが好ましい。このように、本発明の一実施形態において、コラーゲンキャリアは、本質的にＩ型繊維性コラーゲンと、フィブリノゲン、トロンビン、およびリボフラビンのコーティングとから成るコラーゲンスポンジである。フィブリノゲンおよびトロンビンは、たとえばヒトフィブリノゲンおよびトロンビンが可能であり、天然物から精製可能である。あるいは、たとえば遺伝子移植または遺伝子組み換えによるヒトフィブリノゲンおよびトロンビンも可能であるし、たとえば化学合成等の他の方法により製造することも可能である。フィブリノゲンおよびトロンビンは、固体または準固体であるのが好ましく、一実施形態においては、ヒト由来とすることもできる。別の実施形態においては、フィブリノゲンおよびトロンビンの少なくとも一方、より好ましくは両方の成分がヒトアミノ酸配列を有しているのが好ましく、遺伝子組み換え技術、封入体、または化学合成によって生成可能である。一実施形態において、トロンビンおよびフィブリノゲンは乾燥しており、たとえば５％未満の水分、たとえば４％未満の水分、たとえば３％未満の水分、たとえば２％未満の水分、たとえば１％未満の水分、たとえば０．８％未満の水分、たとえば０．６％未満の水分、たとえば０．４％未満の水分、たとえば０．２％未満の水分、たとえば０．１％未満の水分を含む。
【００３６】
本発明の一実施形態において、コラーゲンキャリアは、（ｉ）コラーゲン層と、（ｉｉ）フィブリノゲンおよび任意選択としてリボフラビン等の着色剤を含むコーティング層とを備えるか、またはそれらから成る。一実施形態において、コラーゲンキャリアは、止血を行うことができるその他のペプチド等、その他のペプチドをさらに含んでいてもよい。
【００３７】
本発明の一実施形態において、コラーゲンスポンジ、コラーゲンフリース、コラーゲンパッチ、または単純にフリース、パッチという表現は、コラーゲンキャリアを意味する同意語として用いられる用語である。キャリアは、コラーゲンの代わりに、生分解性共重合体またはポリヒアルロン酸、ポリヒドロキシ酸、たとえば乳酸、グリコール酸、ヒドロキシブタン酸、セルロース、もしくはゼラチン等の重合体を含んでいてもよい。別の代替キャリアとしては、ポリグラクチン９１０すなわち９０％グリコリド（Ｃ２Ｈ２Ｏ２）および１０％ラクチド（Ｃ６Ｈ８Ｏ４）の合成吸収性共重合体、たとえば分子式（Ｃ２Ｈ２Ｏ２）ｍおよび（Ｃ３Ｈ４Ｏ２）ｎが挙げられる。さらに別の代替キャリアとしては、たとえば腱から抽出された天然ウマコラーゲン等のウマコラーゲンが挙げられる。
【００３８】
このように、本発明の一実施形態において、コラーゲンキャリアのコラーゲンの部分は、本明細書に記載のコラーゲンキャリアの場合と同様に被覆された非コラーゲンマトリクスに置き換え可能である。すなわち、本発明の一実施形態においては、フィブリノゲンおよびトロンビンを含むコーティングまたはそれらから成るコーティングで被覆された非コラーゲンマトリクスを含むキャリアまたはそれから成るキャリアが提供される。適当な非コラーゲンマトリクスの一例としては、セルロース繊維が挙げられる。本発明の一実施形態において、非コラーゲンマトリクスは、不織ポリグラクチン９１０フェルトに取り付けられた酸化再生セルロース繊維シートである。
【００３９】
ただし、好ましくは医療用スポンジに適した形状を有するコラーゲンキャリアであるのが好ましい。本発明の一実施形態において、本発明のコイリングプロセスを経るコラーゲンキャリアは、ＷＯ０２／０５８７４９、ＷＯ０２／０７０５９４、およびＷＯ０２／０５８７５０等に記載のＮｙｃｏｍｅｄから調達可能なＴａｃｈｏＳｉｌ（登録商標）またはＴａｃｈｏＣｏｍｂ（登録商標）と同一である。
【００４０】
ＷＯ０２／０７０５９４に開示の発明に従った方法により生成されるコラーゲンスポンジを得るには、好適なコラーゲン層を使用するのが好ましい。本発明において使用するコラーゲン層は、以下の基準のうちの少なくとも１つ、たとえば少なくとも２つまたは少なくとも３つを満足するのが好ましい。
・５．０〜６．０のｐＨ値
・最大５％の乳酸含有量
・最大０．５％のアンモニウム含有量
・アルブミン含有量として計算した場合に最大０．５％の可溶性タンパク質含有量
・最大１．０％の硫酸塩灰分含有量
・最大２０ｐｐｍの重金属含有量
・最大１０３ＣＦＵ／ｇの微生物学的純度
・７５％〜１００％のコラーゲン含有量
・１〜１０ｍｇ／ｃｍ３の密度（たとえば、２〜７ｍｇ／ｃｍ３）
・５〜１００Ｎ／ｃｍ２の弾性率（たとえば、１０〜５０Ｎ／ｃｍ２）
そして、スポンジの一部を分離する場合は、スポンジが以下の特性を有することになる。
・５〜１００Ｎ／ｃｍ２の弾性率
・１〜１０ｍｇ／ｃｍ３の密度
・０．７５ｍｍより大きくかつ４ｍｍより小さな小室直径（または、最大３ｍｍの小室直径平均）
【００４１】
なお、コラーゲンキャリアの密度は、コーティング層を除いたコラーゲンキャリアの密度である。
【００４２】
コラーゲン層は、少なくとも以下を満足するのが好ましい。
・５．０〜６．０のｐＨ値
・最大５％の乳酸含有量
・最大０．５％のアンモニウム含有量
・アルブミン含有量として計算した場合に最大０．５％の可溶性タンパク質含有量
・最大１．０％の硫酸塩灰分含有量
・最大２０ｐｐｍの重金属含有量
・最大１０３ＣＦＵ／ｇの微生物学的純度
・７５％〜１００％のコラーゲン含有量
・１〜１０ｍｇ／ｃｍ３の密度（たとえば、２〜７ｍｇ／ｃｍ３）
【００４３】
さらに、コラーゲンスポンジをいったん創傷に適用すると空気も液体も通さなくなるという意味において、コラーゲン層は、気密かつ液密である。この層は、液体を吸収する。この効果は主に、繊維構造を有する既知のコラーゲンスポンジとは異なり、積み重ねられた小室がコラーゲン材料の壁により分離され、実質的に全体が囲まれた３次元構造をコラーゲン層が有するという事実によって実現されている。
【００４４】
本文脈において、用語「小室直径」は、小室における最大直線壁間距離すなわち小室の最大対角直線距離として解釈すべきである。小室は、八角形等の多角形状であってもよい。したがって、キャリアを切断すると、小室は分割・切断されて空洞になる。
【００４５】
コラーゲンスポンジは、小室直径を０．７５ｍｍより大きくかつ４ｍｍより小さくするか、または小室直径平均を最大３ｍｍにすると、フィブリン接着剤調合液の被覆において特に有用となることが分かっている。キャリアを切断すると、小室は分割・切断されて空洞になる。好ましくは固体のフィブリノゲンおよび好ましくは固体のトロンビンがコラーゲン層に固定され、その大部分が空洞内に存在するため、上記好ましくは固体のトロンビンおよび好ましくは固体のフィブリノゲンは実質的に均等な分布となる。このことと固定されていることとにより、トロンビンおよびフィブリノゲンの液体成分がたとえば材料上に液滴または噴霧されている場合とは対照的に、大量のフィブリノゲンおよびトロンビンをキャリア上に導入可能である。
【００４６】
各被覆コラーゲンキャリアおよび非被覆コラーゲン層は、「細孔径分布」の目視検査を行う。４ｍｍより幅広で、２ｍｍより深い細孔は不合格である。これらのサイズは、必要に応じて定規で測定する。
【００４７】
コーティング層をコラーゲン層に固定することによって、機械的相互作用すなわちコラーゲンキャリアの細孔表面上およびコーティング層中への一体化によりコーティング層を付着させるのが好ましい。
【００４８】
本発明の好適な一実施形態において、コーティング層におけるフィブリノゲンおよびトロンビンの平方センチメートル当たりの量は、以下が可能である。
・トロンビン  １．３〜２．７ＩＵ／ｃｍ２および／または
・フィブリノゲン  ３．６〜７．４ｍｇ／ｃｍ２
【００４９】
一実施形態において、上述のフィブリノゲンおよびトロンビンの平方センチメートル当たりの量は、ＷＯ０２／０５８７４９、ＷＯ０２／０７０５９４、およびＷＯ０２／０５８７５０等に記載のＮｙｃｏｍｅｄから調達可能なＴａｃｈｏＳｉｌ（登録商標）またはＴａｃｈｏＣｏｍｂ（登録商標）と同一である。
【００５０】
固体トロンビンおよび固体フィブリノゲンを実質的に均等に分布させることによって、コラーゲン層全体にわたりコーティング層を実質的に均等に分布させる。これにより、コーティング層の厚さの局所的な変化は、ＳＥＭ断面によって視覚的に観測される。すなわち、コーティング層は、表面上に位置していてもよいし、場合によっては、開口セルの低位置にあってもよい。また、コーティング層上には、貫通する亀裂（裂け目）が存在しないものとする。
【００５１】
一実施形態において、本発明に係るコラーゲンキャリアのサイズは、９２〜９８ｍｍ×４６〜５０ｍｍ×４〜７ｍｍであってもよい。このキャリアは、大型コラーゲンキャリアと称し、すべての面が平坦な矩形断面の箱型の形状を有する。したがって、最大矩形断面の面積は、およそ４２．３〜４９．０ｃｍ２である。別の実施形態において、本発明に係る中型コラーゲンキャリアは、４６〜４９ｍｍ×４６〜５０ｍｍ×４〜７ｍｍであって、四分円断面の正方形箱型の形状を有する。したがって、四分円断面の面積は、およそ２１．２〜２４．５ｃｍ２である。本発明に係る中型コラーゲンキャリアが好ましい。さらに別の実施形態において、本発明に係る小型コラーゲンキャリアは、２８〜３３ｍｍ×２３〜２７ｍｍ×４〜７ｍｍであって、すべての面が平坦な矩形断面の箱型の形状を有する。したがって、最大矩形断面の面積は、およそ６．４〜８．９ｃｍ２である。
【００５２】
本発明の一実施形態において、コラーゲンキャリアは、５〜１００Ｎ／ｃｍ２の弾性率、１〜１０ｍｇ／ｃｍ３の密度、０．７５ｍｍより大きくかつ４ｍｍより小さな小室直径および／または３ｍｍ未満の小室直径平均、ならびに当該コラーゲンキャリアに固定された均等分布の固体フィブリノゲンおよび固体トロンビンという物理的特性のうちの少なくとも１つ、たとえば上記物理的特性のうちの少なくとも２つ、たとえば上記物理的特性のうちの少なくとも３つ、たとえば上記物理的特性のうちの少なくとも４つを有する。なお、コラーゲンキャリアの密度は、コーティング層を除いたコラーゲンキャリアの密度である。
【００５３】
用語「機械的に」は、完全自動プロセス等の少なくとも半自動的なプロセスによって本発明のロール状および／または圧縮コラーゲンキャリア等の医療用スポンジを生産、取得、または提供する任意の非手動方法を表すものである。
【００５４】
また、「機械的に安定」は、「形状安定」を表すものである。
【００５５】
「形状安定コイル状コラーゲンキャリア」等として用いられる「形状安定」は、構成要素ではない制約要素または阻害要素によって固定されることなく幾何学的形状を保持するコイル状コラーゲンキャリアを表すのに用いるのが好ましい。たとえば、形状安定コイル状コラーゲンキャリアは、その幾何学的形状を保持していてもよい。コーティング層および／またはコラーゲン層には、コイル状コラーゲンキャリアを歪める（たとえば、非コイル状にする）作用の張力がないためである。形状安定の別の特性として、コイル状コラーゲンキャリアは、弾性変形するとともに、その弾性変形による張力の解放によって弾性変形前の形状に戻ってもよい。また、形状安定コイル状コラーゲンキャリアは、さらに別の特性として、コイル形状に硬化させるのが好ましい。
【００５６】
たとえば「固体フィブリノゲンおよび固体トロンビン」等として用いられる「固体」は、当業者が一般的に固体状態の材料を表すように使用する。「準固体」は、対象材料のわずかな部分（たとえば５％未満、たとえば３％未満、好ましくは１％未満、たとえば０．５％未満）が固体状態と異なる状態である場合に用いるのが好ましい。あるいは、「準固体」は、対象材料がたとえば５％未満または１％未満の液体を含む場合を表すのに用いるのが好ましい。
【００５７】
用語「手動」は、医療用スポンジ等または本発明のロール状および／もしくは圧縮コラーゲンキャリア等のキャリアを生産、取得、または提供する任意の手動方法を表すものである。したがって、「手動」は、少なくとも１つの人間の手で生産方法の少なくとも１つのステップ（たとえば、巻き取りステップおよび／または圧縮ステップ）を実行する任意の方法、たとえば「ピン」の周りに手でコラーゲンフリースを巻き取る方法または手力でコラーゲンフリースを圧縮する方法、たとえば１または複数の人間の手を用いてフリースを直接圧縮する方法を表す。ただし、本発明の好適な一実施形態において、少なくとも巻き取りステップおよび／または圧縮ステップは、手動で実行しない。すなわち、人間の手を使って実行しない。したがって、本発明の好適な一実施形態においては、物体（たとえば、ピン）の周りに手でコラーゲンフリースを巻き取ることおよび／または少なくとも１つの人間の手を用いてコラーゲンフリースを圧縮することはしない。
【００５８】
用語「巻き取り」は、手動、機械、またはそれらの組み合わせによって物体を巻き取る任意周知のプロセスを表す。
【００５９】
たとえば「コラーゲンキャリアのコイリング」等として用いられる「コイリング」は、コラーゲンキャリアを巻いて、好ましくは螺旋状断面を有した要素にするプロセスを表すのに用いるのが好ましい。コイル状コラーゲンキャリアは、Ｓ字状のコアを有していてもよい。
【００６０】
たとえば、ロール状コラーゲンキャリアは、最大１２ｍｍ、たとえば最大１１ｍｍ、たとえば最大１０ｍｍ、たとえば最大８ｍｍ、たとえば最大６ｍｍ、たとえば最大４ｍｍの直径を有し、任意選択として、１０−６の無菌性保証レベル（ＳＡＬ：Ｓｔｅｒｉｌｉｔｙ  Ａｓｓｕｒａｎｃｅ  Ｌｅｖｅｌ）を有することができる。
【００６１】
用語「ロール状圧縮コラーゲンキャリア」は、当該コラーゲンキャリアに固定された均等分布の固体フィブリノゲンおよび固体トロンビンを含むコーティングであって、以下の物理的特性のうちの少なくとも１つを有するコーティングという物理的特性を特徴としたロール状圧縮コラーゲンキャリアを表す。
Ｉ．最大１０ｍｍの直径
ＩＩ．１０−６の無菌性保証レベル（ＳＡＬ）
【００６２】
したがって、本発明の利点として、内視鏡装置への挿入等、低侵襲手術においてロール状圧縮コラーゲンキャリアをすぐに利用できる。
【００６３】
用語「機械的ロール状圧縮コラーゲンキャリア」は、機械的に圧縮した後に機械的に巻き取ったコラーゲンキャリアにおいて、当該機械的ロール状圧縮コラーゲンキャリアに固定された均等分布の固体フィブリノゲンおよび固体トロンビンを含むコーティングであって、以下の物理的特性のうちの少なくとも１つを有するコーティングという物理的特性を特徴としたコラーゲンキャリアを表す。
Ｉ．最大１０ｍｍの直径
ＩＩ．１０−６の無菌性保証レベル（ＳＡＬ）
【００６４】
用語「増湿または加湿」は、少なくとも１つの溶媒でコラーゲンキャリアの少なくとも一部、好ましくは生物活性物質を含むコーティングで被覆された少なくとも１つの面を有するキャリアの少なくとも１つの面を増湿／保湿するプロセスを表す。キャリアの２つ以上の面が生物活性物質を含むコーティングで被覆されている場合、この用語は、たとえばコラーゲンキャリアの少なくとも２つの面、たとえば少なくとも３つの面、たとえば少なくとも４つの面、たとえば少なくとも５つの面、たとえばすべての面の増湿を含んでいてもよい。増湿する面は、コーティングを含む面であるのが好ましいが、コーティングを含まない面であってもよい。
【００６５】
たとえば「コラーゲンキャリアの少なくとも一部の増湿」等として用いられる「増湿」は、液体物質をコラーゲンキャリアに適用するステップを表すのに用いるのも好ましい。
【００６６】
したがって、用語「増湿コラーゲンキャリア」は、少なくとも１つの溶媒に対して、好ましくは当該コラーゲンキャリアの少なくとも１つの面、たとえば少なくとも２つの面、たとえば少なくとも３つの面、たとえば少なくとも４つの面、たとえば少なくとも５つの面、たとえばすべての面が曝されることによって得られたコラーゲンキャリアを表す。
【００６７】
本発明の一実施形態において、増湿コラーゲンキャリアは、当該コラーゲンキャリアに固定された均等分布の固体フィブリノゲンおよび固体トロンビンを含み、以下の物理的特性のうちの少なくとも１つを有したコーティングを有する。
Ｉ．最大１０ｍｍの直径
ＩＩ．１０−６の無菌性保証レベル（ＳＡＬ）
【００６８】
用語「弾性率」は、力が印加された場合に物体が弾性的すなわち非永久的に変形する性質を意味する。本文脈においては、本発明のコラーゲンキャリアの弾性を記述するのに弾性率を使用する。本発明においては、弾性率をＮ／ｃｍ２の単位で測定する。弾性率は、５〜１００Ｎ／ｃｍ２、たとえば１５〜９０Ｎ／ｃｍ２、たとえば２５〜８０Ｎ／ｃｍ２、たとえば３５〜７０Ｎ／ｃｍ２、たとえば４５〜６０Ｎ／ｃｍ２、たとえば５０〜５５Ｎ／ｃｍ２であるのが好ましい。たとえばＪ．Ｅ．Ｇｏｒｄｏｎによる著書「Ｔｈｅ  Ｎｅｗ  Ｓｃｉｅｎｃｅ  ｏｆ  Ｓｔｒｏｎｇ  Ｍａｔｅｒｉａｌｓ  ｏｒ  Ｗｈｙ  Ｙｏｕ  Ｄｏｎ’ｔ  Ｆａｌｌ  Ｔｈｒｏｕｇｈ  ｔｈｅ  Ｆｌｏｏｒ」の３８〜４３頁およびＥＰ１０５３７５７Ｂ１に開示されている通り、弾性率は、弾性を測定する技術における周知のパラメータである。このように、弾性率は、材料の弾性的柔軟性、任意の所与の物体の柔軟性を表す。
【００６９】
「弾性率」は、弾性材料の剛性によって特徴付けられる物理定数としてのヤング率Ｅを表す。Ｅは、力（Ｎ）を面積（ｍｍ２）で除したものであり、Ｎ／ｍｍ２またはＭＰａで表される。
【００７０】
用語「密度」すなわち材料の質量密度は、当該材料の単位体積当たりの質量を表す。密度として最もよく用いられる記号はρであるが、本文脈においては、密度を単位体積当たりの重量ｍｇ／ｃｍ３として規定する。これは、比重とも称する。密度の測定に用いる方法および装置については、以下の実施例の項において、より詳細に開示する。本発明に係るコラーゲンキャリアの密度は、コーティング層を除いたコラーゲンキャリアの密度である。
【００７１】
本発明の増湿ならびに／または圧縮および／もしくはロール状コラーゲンキャリアの密度は、１〜１５ｍｇ／ｃｍ３の範囲、たとえば２〜１５ｍｇ／ｃｍ３の範囲、たとえば３〜１５ｍｇ／ｃｍ３の範囲、たとえば４〜１５ｍｇ／ｃｍ３の範囲、たとえば５〜１５ｍｇ／ｃｍ３の範囲、たとえば６〜１５ｍｇ／ｃｍ３の範囲、たとえば７〜１５ｍｇ／ｃｍ３の範囲、たとえば８〜１５ｍｇ／ｃｍ３の範囲、たとえば９〜１５ｍｇ／ｃｍ３の範囲、たとえば１０〜１５ｍｇ／ｃｍ３の範囲、たとえば１１〜１５ｍｇ／ｃｍ３の範囲、たとえば１２〜１５ｍｇ／ｃｍ３の範囲、たとえば１３〜１５ｍｇ／ｃｍ３の範囲、たとえば１４〜１５ｍｇ／ｃｍ３の範囲、たとえば３〜１４ｍｇ／ｃｍ３の範囲、たとえば３〜１２ｍｇ／ｃｍ３の範囲、たとえば３〜１０ｍｇ／ｃｍ３の範囲、たとえば３〜９ｍｇ／ｃｍ３の範囲、たとえば３〜８ｍｇ／ｃｍ３の範囲、たとえば３〜７ｍｇ／ｃｍ３の範囲、たとえば３〜６ｍｇ／ｃｍ３の範囲、たとえば３〜５ｍｇ／ｃｍ３の範囲、たとえば３．０〜４．５ｍｇ／ｃｍ３の範囲、たとえば３．０〜４．４ｍｇ／ｃｍ３の範囲、たとえば３．０〜４．３ｍｇ／ｃｍ３の範囲、たとえば３．０〜４．２ｍｇ／ｃｍ３の範囲、たとえば３．０〜４．１ｍｇ／ｃｍ３の範囲、たとえば３．０〜４．０ｍｇ／ｃｍ３の範囲、たとえば３．０〜３．９ｍｇ／ｃｍ３の範囲、たとえば３．０〜３．８ｍｇ／ｃｍ３の範囲、たとえば３．０〜３．７ｍｇ／ｃｍ３の範囲、たとえば３．０〜３．６ｍｇ／ｃｍ３の範囲、たとえば３．０〜３．５ｍｇ／ｃｍ３の範囲、たとえば３．０〜３．４ｍｇ／ｃｍ３の範囲、たとえば３．０〜３．３ｍｇ／ｃｍ３の範囲、たとえば３．０〜３．２ｍｇ／ｃｍ３の範囲、たとえば３．０〜３．１ｍｇ／ｃｍ３の範囲、たとえば３．１〜４．５ｍｇ／ｃｍ３の範囲、たとえば３．２〜４．５ｍｇ／ｃｍ３の範囲、たとえば３．３〜４．５ｍｇ／ｃｍ３の範囲、たとえば３．４〜４．５ｍｇ／ｃｍ３の範囲、たとえば３．５〜４．５ｍｇ／ｃｍ３の範囲、たとえば３．６〜４．５ｍｇ／ｃｍ３の範囲、たとえば３．７〜４．５ｍｇ／ｃｍ３の範囲、たとえば３．８〜４．５ｍｇ／ｃｍ３の範囲、たとえば３．９〜４．５ｍｇ／ｃｍ３の範囲、たとえば４．０〜４．５ｍｇ／ｃｍ３の範囲、たとえば４．１〜４．５ｍｇ／ｃｍ３の範囲、たとえば４．２〜４．５ｍｇ／ｃｍ３の範囲、たとえば４．３〜４．５ｍｇ／ｃｍ３の範囲、たとえば４．４〜４．５ｍｇ／ｃｍ３の範囲であるのが好ましい。
【００７２】
本発明の増湿ならびに／または圧縮およびロール状コラーゲンキャリアの密度は、本発明のロール状コラーゲンキャリアを展開して測定する。なお、本発明のコラーゲンキャリアの密度は、コーティング層を除いたコラーゲンキャリアの密度である。
【００７３】
現在のところは、大型コラーゲンキャリア（ストリップまたはフリースとも称する）といった特定サイズのロール状および／または圧縮コラーゲンキャリア（実施例の項を参照）等、体積が既知のコラーゲンキャリアを秤量することによって密度を測定するのが好ましい。密度は、コラーゲンキャリアの質量をその体積で除して計算する。密度の測定に用いる方法および装置については、以下の実施例の項において、より詳細に開示する。
【００７４】
用語「コーティング」は、ロール状および／または圧縮コラーゲンキャリア、展開したロール状および／または圧縮コラーゲンキャリア等、本発明のコラーゲンキャリアの少なくとも１つの面に固定された均等分布の生物活性物質であるフィブリノゲンおよびトロンビンを含むコーティングまたは本質的にそれらから成るコーティングを表すのが好ましい。また、コーティングには、たとえばリボフラビン（被覆領域のマーカーとしての黄色）を含んでいてもよい。本発明の一実施形態において、活性物質は、固体ヒトフィブリノゲン、固体ヒトトロンビン、および任意選択としての固体リボフラビンであるのが好ましい。このように、本発明の一実施形態において、コーティングは、本質的に固体ヒトフィブリノゲン、固体ヒトトロンビン、および固体リボフラビンから成る。また、コーティングは、ロール状および／または圧縮コラーゲンキャリア、展開したロール状および／または圧縮コラーゲンキャリア等のコラーゲンキャリアの少なくとも１つの面に存在する。このため、一実施形態において、ロール状および／または圧縮コラーゲンキャリア、展開したロール状および／または圧縮コラーゲンキャリア等のコラーゲンキャリアは、１．３〜１０ｍｇ／ｃｍ２、たとえば２〜１０ｍｇ／ｃｍ２、たとえば４．３〜６．７ｍｇ／ｃｍ２、好ましくはおよそ３．６〜７．４ｍｇ／ｃｍ２、たとえばおよそ５．５ｍｇ／ｃｍ２の量のフィブリノゲンが存在し、０．９〜２０ＩＵ／ｃｍ２、たとえば０．９〜１５ＩＵ／ｃｍ２、たとえば０．９〜１０ＩＵ／ｃｍ２、たとえば１．０〜５．５ＩＵ／ｃｍ２、好ましくはたとえばおよそ１．３〜２．７ＩＵ／ｃｍ２、たとえばおよそ２．０ＩＵ／ｃｍ２の量のトロンビンが存在する１または複数の活性面を備える。このコーティングは、ロール状および／または圧縮コラーゲンキャリア、展開したロール状および／または圧縮コラーゲンキャリア等のコラーゲンキャリアの少なくとも１つの面に適用するのが好ましい。
【００７５】
ロール状および／または圧縮コラーゲンキャリア、展開したロール状および／または圧縮コラーゲンキャリア等のコラーゲンキャリアがその１つの面にコーティングを有した状態で巻き取られている場合、生物活性物質で被覆した面は、ロール状コラーゲンキャリア上で外部配向可能である。あるいは、生物活性物質で被覆した面は、ロール状コラーゲンキャリア上で内部配向可能である。現在のところは、本発明のロール状圧縮コラーゲンキャリアに対して、第１の選択肢すなわちコーティングの外部配向が好ましい。
【００７６】
たとえばロール状コラーゲンキャリアに関する用語「直径」は、本発明に従ってロール状またはコイル状にした任意の種類のコラーゲンキャリアの断面の直径を表す。したがって、結果的に得られるロール状コラーゲンキャリアの直径は、断面上（たとえば、最短辺）で測定して、およそ５〜１２ｍｍ、たとえばおよそ６〜１１ｍｍ、たとえばおよそ７〜１０ｍｍ、たとえばおよそ８〜９ｍｍ、たとえば最大で１１ｍｍ、好ましくはたとえば最大で１０ｍｍ、好ましくはたとえば最大で９ｍｍ、たとえば最大で８ｍｍ、たとえば最大で７ｍｍ、たとえば最大で６ｍｍ、たとえば最大で５ｍｍ、たとえば最大で４．５ｍｍ、たとえば最大で４ｍｍ、たとえば最大で３．５ｍｍ、たとえば最大で３ｍｍ、たとえば最大で２．５ｍｍ、たとえば最大で２．０ｍｍ、たとえば最大で１．５ｍｍ、たとえば最大で１．０ｍｍである。中型フリースすなわち４６〜４９ｍｍ×４６〜５０ｍｍ×４〜７ｍｍの寸法の中型フリースの場合、直径は、１０ｍｍ未満が好ましい。本発明に係るプレロール状コラーゲンキャリアの長さおよび幅を図３に示す。
【００７７】
用語「厚さ」は、本発明の展開または非ロール状の任意のコラーゲンキャリアを横切る測定可能な最短距離を表す。すなわち、厚さは、コラーゲンキャリアが事前に巻き取られているか否かおよび／または事前に圧縮・増湿されているか否かによって決まる。本発明に係る任意の種類の展開または非ロール状コラーゲンキャリアを記述するのに用語「厚さ」を用いている場合、この「厚さ」は、およそ１〜１０ｍｍ、たとえばおよそ２〜８ｍｍ、たとえばおよそ４〜６ｍｍ、たとえば最大で１０ｍｍ、たとえば最大で９ｍｍ、たとえば最大で８ｍｍ、たとえば最大で７ｍｍ、たとえば最大で６ｍｍ、たとえば最大で５ｍｍ、たとえば最大で４ｍｍ、たとえば最大で３ｍｍ、たとえば最大で２ｍｍ、たとえば最大で１ｍｍの厚さを表す。一実施形態において、コラーゲンキャリアの厚さは、４〜７ｍｍであるのが好ましい。別の実施形態において、展開コラーゲンキャリアの厚さは、最大４ｍｍであるのが好ましい。
【００７８】
用語「無菌性保証レベル（ＳＡＬ）」は、無菌化プロセス後に単一のユニットが非無菌である確率を記述するのに微生物学において使用する用語である。たとえば、医療機器メーカーは、微生物存在確率が１０−６という極低ＳＡＬとなるように、すなわちＵＳＰ３４＜１２１１＞（米国薬局方第３２版の第１２１１章）に規定されている通り、無菌化した機器に存在する生存微生物が１００万に１つ以下となるように無菌化プロセスを設計する。また、ＳＡＬは、無菌化プロセスの致死効果を記述するのにも使用する。この場合、非常に効果的な無菌化プロセスは、ＳＡＬが非常に低くなる。
【００７９】
無菌化は、任意のパッケージングステップの前および／または後に実施可能である。
【００８０】
照射と称するプロセスにおいては、生物を死滅させる無菌化方法としてガンマ線放射を利用可能である。照射の適用においては、オートクレーブまたは化学的手段の代替として、医療機器を無菌化する。本発明の一実施形態において、ロール状および／または圧縮コラーゲンキャリア等のコラーゲンキャリアには、ガンマ線放射を実施する。ガンマ線放射によって、得られるコラーゲンキャリアのＰＣＴ値は、たとえば０．５％以下、たとえば１％以下、たとえば２％以下、たとえば３％以下、たとえば４％以下、たとえば５％以下、たとえば６％以下、たとえば７％以下、たとえば８％以下、たとえば９％以下、たとえば好ましくは１０％以下、たとえば１１％以下、たとえば１２％以下、たとえば１３％以下、たとえば１４％以下、たとえば１５％以下、たとえば１６％以下、たとえば１７％以下、たとえば１８％以下、たとえば１９％以下、たとえば２０％以下、たとえば２５％以下となる場合がある。このことは、本発明に係るロール状コラーゲンキャリアの肝組織への付着の目視検査により、試験管内で評価した。照射プロセス後は、フィブリノゲンが２〜１０ｍｇ／ｃｍ２の量で存在し、トロンビンが１．０〜５．５ＩＵ／ｃｍ２の量で存在するのが好ましい。また、各レベル値は、たとえば０．５％以下、たとえば１％以下、たとえば２％以下、たとえば３％以下、たとえば４％以下、たとえば５％以下、たとえば６％以下、たとえば７％以下、たとえば８％以下、たとえば９％以下、たとえば好ましくは１０％以下、たとえば１１％以下、たとえば１２％以下、たとえば１３％以下、たとえば１４％以下、たとえば１５％以下、たとえば１６％以下、たとえば１７％以下、たとえば１８％以下、たとえば１９％以下、たとえば２０％以下、たとえば２５％以下等、それぞれのレベルを超えるのが好ましい。なお、「それぞれのレベルを超える」とは、各値の増減いずれかが起こることを意味する。
【００８１】
ロール状および／または圧縮コラーゲンキャリアは、その生物学的および生理化学的特性を維持しつつ、許容時間にわたって保管可能であるのが好ましい。すなわち、保管によって、ロール状および／または圧縮コラーゲンキャリアの物理的および化学的特性にも、ロール状および／または圧縮コラーゲンキャリアの試験管内における（肝組織への）付着および付着強度（ＰＣＴ値）にも影響が及ばないのが好ましい。
【００８２】
許容保管期間は、最大６０か月、たとえば最大５４か月、たとえば最大４８か月、たとえば最大４２か月、たとえば最大３６か月、たとえば最大３０か月、たとえば最大２４か月、たとえば最大１８か月、たとえば最大１２か月、たとえば最大６か月、たとえば最大５か月、たとえば最大４か月、たとえば最大３か月、たとえば最大２か月、たとえば最大１か月であるのが好ましい。このため、本発明のロール状および／または圧縮コラーゲンキャリアは、安定しているのが好ましい。
【００８３】
表記「安定」は、ロール状および／または圧縮コラーゲンキャリアが生理化学的かつ生物学的に安定しており、これによって、作成時と同じ特性を維持していることを意味する。このため、ロール状および／または圧縮コラーゲンキャリアは、輸送時、倉庫保管（保管）時、物流時、販売時、およびその最終用途に至るまで安定性を維持する。すなわち、コラーゲンキャリアは、規則およびすべての最終用途要件を保持する。
【００８４】
「シリカゲル」は、ケイ酸ナトリウムから合成した二酸化ケイ素の粒状、ガラス質、多孔質形態を表すのに用いるのが好ましい。シリカゲルは、透過性バッグに納められたビーズとして一般的に利用されている乾燥剤である。
【００８５】
ロール状および／または圧縮コラーゲンキャリア等のコラーゲンキャリアは、処理中に、室内由来の１もしくは複数の溶媒または水分（水蒸気）を受動的に吸収する場合がある。一実施形態において、そのような水等の水分の受動的吸収が発生した場合、残留水分量の許容範囲は、たとえば０．１％ｗ／ｗ以下、たとえば０．２％ｗ／ｗ以下、たとえば０．５％ｗ／ｗ以下、たとえば０．８％ｗ／ｗ以下、たとえば１．０％ｗ／ｗ以下、たとえば１．２％ｗ／ｗ以下、たとえば１．４％ｗ／ｗ以下、たとえば１．６％ｗ／ｗ以下、たとえば１．８％ｗ／ｗ以下、たとえば２．０％ｗ／ｗ以下、たとえば２．５％ｗ／ｗ以下、たとえば３．０％ｗ／ｗ以下、たとえば３．５％ｗ／ｗ以下、たとえば４．０％ｗ／ｗ以下、好ましくはたとえば５．０％ｗ／ｗ以下、たとえば８．０％ｗ／ｗ以下、たとえば１０．０％ｗ／ｗ以下、たとえば１２．５％ｗ／ｗ以下、たとえば１５．０％ｗ／ｗ以下、たとえば１７．５％ｗ／ｗ以下、たとえば２０．０％ｗ／ｗ以下、たとえば２２．５％ｗ／ｗ以下、たとえば２５．０％ｗ／ｗ以下、たとえば２７．５％ｗ／ｗ以下、たとえば３０．０％ｗ／ｗ以下、たとえば３２．５％ｗ／ｗ以下、たとえば３５．０％ｗ／ｗ以下である。受動的に吸収された溶媒が水である場合、残留水分は、８．０％ｗ／ｗ以下、たとえば５．０％ｗ／ｗ以下であるのが好ましい。残留溶媒は、ガスクロマトグラフィ（ＧＣ）の利用等、当業者に既知の従来方法で測定する。ＧＣは、分解せずに気化可能な化合物を分離・分析するための分析化学において用いられる一般的なクロマトグラフィである。本発明においては、ＧＣを用いて、コラーゲンキャリアにおける室内由来の１もしくは複数の溶媒または水分（水蒸気）を決定する。
【００８６】
用語「無菌化」は、ロール状および／または圧縮コラーゲンキャリアといった本発明におけるコラーゲンキャリア等の物体を無菌化する任意周知の方法を表す。そのような任意の適当な無菌化方法によれば、無菌化プロセス後に単一のユニットが非無菌である所要の確率が得られる。このため、無菌化プロセス後に非無菌であるロール状および／または圧縮コラーゲンキャリア等のコラーゲンキャリアは、１００万に１つ以下とするのが好ましい。無菌化プロセスの一例としては、ガンマ線放射が挙げられる。無菌化は、熱、化学薬品、照射、および高圧を適正に組み合わせて適用することによっても実現可能であるが、これらの方法はあまり好ましくない。好適な一実施形態においては、ガンマ線照射により無菌化を行う。
【００８７】
一実施形態においては、パッケージ試験を実施・文書化することによって、パッケージが規則およびすべての最終用途要件を満足するようにする。また、製造プロセスを制御・確認することによって、一貫した性能を確保する。
【００８８】
本発明の適当なコンテナは、パッケージ内で無菌化するのが好ましい。医療機器のパッケージングは高度に規制されており、流通の全体にわたって無菌性を保持することによって、医師が直ちに利用できるようにする必要がある。当技術においては、特別な一連のパッケージング試験が周知であり、これを用いることによって、パッケージの無菌性保持能力を測定する。関連する規格としては、ＡＳＴＭ  Ｄ１５８５「Ｇｕｉｄｅ  ｆｏｒ  Ｉｎｔｅｇｒｉｔｙ  Ｔｅｓｔｉｎｇ  ｏｆ  Ｐｏｒｏｕｓ  Ｍｅｄｉｃａｌ  Ｐａｃｋａｇｅｓ」、ＡＳＴＭ  Ｆ２０９７「Ｓｔａｎｄａｒｄ  Ｇｕｉｄｅ  ｆｏｒ  Ｄｅｓｉｇｎ  ａｎｄ  Ｅｖａｌｕａｔｉｏｎ  ｏｆ  Ｐｒｉｍａｒｙ  Ｆｌｅｘｉｂｌｅ  Ｐａｃｋａｇｉｎｇ  ｆｏｒ  Ｍｅｄｉｃａｌ  Ｐｒｏｄｕｃｔｓ」、ＥＮ  ８６８「Ｐａｃｋａｇｉｎｇ  ｍａｔｅｒｉａｌｓ  ａｎｄ  ｓｙｓｔｅｍｓ  ｆｏｒ  ｍｅｄｉｃａｌ  ｄｅｖｉｃｅｓ  ｗｈｉｃｈ  ａｒｅ  ｔｏ  ｂｅ  ｓｔｅｒｉｌｉｚｅｄ．Ｇｅｎｅｒａｌ  ｒｅｑｕｉｒｅｍｅｎｔｓ  ａｎｄ  ｔｅｓｔ  ｍｅｔｈｏｄｓ」、ＩＳＯ  １１６０７「Ｐａｃｋａｇｉｎｇ  ｆｏｒ  ｔｅｒｍｉｎａｌｌｙ  ｓｔｅｒｉｌｉｚｅｄ  ｍｅｄｉｃａｌ  ｄｅｖｉｃｅｓ」等が挙げられる。
【００８９】
一実施形態において、第１および／または第２のコンテナは、一重もしくは二重アルミホイル等のホイルパッケージング材料、ポリスチレンもしくはＰＥＴ（ポリエチレンテレフタレート）等のプラスチックパッケージング材料、または一重もしくは二重アルミホイルおよびポリスチレンもしくはＰＥＴ（ポリエチレンテレフタレート）等のホイルとプラスチックパッケージング材料の組み合わせである。
【００９０】
用語「重量／重量百分率」すなわち「％ｗ／ｗ」は、物質のグラム当たりの別の物質のグラムを百分率（１００グラム当たり）で表したものである。したがって、たとえばコラーゲンキャリアに２％ｗ／ｗの量で残留水分が存在する場合は、９８グラムのコラーゲンキャリアとともに２グラムの水分が存在することを意味する。残留水分を含むコラーゲンキャリアの総重量は１００グラムとなるが、１００グラムの残留物の体積は、１００ｍｌと異なる場合がある。
【００９１】
なお、コラーゲンキャリアの「重量」は、コーティング層の重量を除いたコラーゲンキャリアの重量を表す。
【００９２】
また、留意すべきこととして、本発明の一態様の文脈において記載した実施形態および特徴は、本発明のその他の態様にも当てはまる。すなわち、ロール状圧縮コラーゲンキャリアに関するすべての態様は、圧縮コラーゲンキャリア、ロール状コラーゲンキャリア、展開したロール状圧縮コラーゲンキャリア、またはコイル状コラーゲンキャリアにも当てはまり（本明細書においては、「コイル状」および「ロール状」という用語を区別なく使用する）、プロセスの態様についても同様である。
【００９３】
コイル状コラーゲンキャリアは、コラーゲン層を備える。コラーゲン層は、たとえばＮｙｃｏｍｅｄが市販している「ＴａｃｈｏＴｏｐ」製品といったコラーゲンフォームまたはスポンジ等の任意の適当なコラーゲンで構成可能である。コラーゲン種としては、固形化ヒトコラーゲンフォーム等のヒトコラーゲンが好ましい。また、コイル状コラーゲンキャリアは、コラーゲン層の上に、トロンビンおよびフィブリノゲンを含むコーティング層を備える。トロンビンは、準固体または固体であるのが好ましい。フィブリノゲンも、準固体または固体であるのが好ましい。トロンビンおよびフィブリノゲンの両者とも、固体であるのが好ましい。また、コーティングは、黄色を付与するとともに、コラーゲンキャリアのいずれの面が活性面であるかを医師が決定可能なリボフラビンも備えているのが好ましい。
【００９４】
本発明の好適な実施形態においては、コーティング層が各巻部の内面を構成するように、コイル状コラーゲンキャリアの少なくとも外側巻部または各巻部が配向している。本発明の他の実施形態においては、コーティング層が各巻部の外面を構成するように、コイル状コラーゲンキャリアの各巻部または少なくとも外側巻部が配向している。
【００９５】
本発明の一実施形態において、コラーゲンキャリアは、たとえばコラーゲンの層および当該コラーゲン層の上のコーティング層から成る層状構成であるのが好ましい。
【００９６】
本発明のコイル状コラーゲンキャリアは、形状安定である。これは、たとえば「静止時」に非コイル状とはならないという意味においてコイル状コラーゲンキャリアが形状安定であることを意味し得る。本発明の一実施形態において、コイル状コラーゲンキャリアの形状安定性は、水分が付与されて製品がより柔軟になる（すなわち、形状安定でなくなる）と低下する。本発明の好適な一実施形態において、コイル状コラーゲンキャリアの形状安定性は、実質的にコーティングによってのみ与えられる。一実施形態において、コイル状コラーゲンキャリアの形状安定性の少なくとも一部は、当該キャリアの最外巻部によって与えることができる。本発明の一実施形態において、コイル状コラーゲンキャリアの形状安定性は、下側巻部に付着したコイル状コラーゲンキャリアの縁部の領域によって与えられる。別の実施形態において、コイル状コラーゲンキャリアの形状安定性は、巻部間の付着によって与えられる。本発明の一実施形態において、コイル状コラーゲンキャリアの形状安定性は、機械的張力がない状態の当該コイル状コラーゲンキャリアによって与えられる。本発明の一実施形態において、コイル状コラーゲンキャリアの形状安定性は、巻部間の付着によって当該コイル状コラーゲンキャリアを非コイル状とするように作用する大きな機械的張力によって与えられる。本発明の一実施形態において、コイル状コラーゲンキャリアの形状安定性は、弾性率が５〜１００Ｎ／ｃｍ２のコイルによって与えられる。
【００９７】
本発明の一実施形態において、形状安定性は、応力が加わった場合に大きく変形することなく壊れる脆弱なコイルを形成した状態の当該コイル状コラーゲンキャリアによって与えられる。
【００９８】
本発明の好適な一実施形態において、展開構成のコイル状コラーゲンキャリアは、好ましくは幅、長さ、および厚さを有する（好ましくは矩形状または正方形状の）シートである。この展開コラーゲンキャリアは、矩形または正方形のシートであるのが好ましい。このシートは、０．５ｍｍ〜１０ｍｍの厚さ、たとえば０．５〜８ｍｍ、たとえば０．５〜６ｍｍの厚さを有するのが好ましい。本発明の好適な一実施形態において、この厚さは、１〜４ｍｍ、たとえば好ましくは１〜３ｍｍであるのが好ましい。一実施形態において、この厚さは、最大で４ｍｍ、最大で５ｍｍ、最大で６ｍｍ、または最大で７ｍｍとすることも可能である。また、展開コラーゲンキャリアは、（好ましくはコーティング層で被覆された）その上面の表面積が４〜１００ｃｍ２、より好ましくは５〜７５ｃｍ２、たとえば１０〜５０ｃｍ２、たとえば２０〜３０ｃｍ２、あるいは、たとえば上面が５ｃｍ×５ｃｍの正方形のコラーゲンシートによって可能な２５ｃｍ２であるのが好ましい。
【００９９】
本発明の一実施形態において、コイル状コラーゲンキャリアは、３つ、４つ、または５つの巻部を備えるか、またはそれらから成る。
【０１００】
本発明の一実施形態において、コイル状コラーゲンキャリアは、外径が１２ｍｍ未満、たとえば１１ｍｍ未満、たとえば１０ｍｍ未満、たとえば９ｍｍ未満、たとえば８ｍｍ未満、たとえば７ｍｍ未満、たとえば６ｍｍ未満、たとえば５ｍｍ未満、たとえば４ｍｍ未満、たとえば３ｍｍ未満の円筒状である。たとえば、コイル状コラーゲンキャリアの外径は、１〜１２ｍｍ、たとえば３〜１１ｍｍ、たとえば５〜１０ｍｍ、たとえば好ましくは５〜９ｍｍ、たとえば６〜８ｍｍである。
【０１０１】
本発明の一実施形態において、コイル状コラーゲンキャリアは、その長手軸周りにＳ字状の最内巻部を有する。
【０１０２】
コイル状コラーゲンキャリアのコーティング層のコーティングは、裸眼で視認できるような貫通する亀裂を有していないのが好ましい。
【０１０３】
本発明はさらに、コンテナ内に配置された本発明に係るコイル状コラーゲンキャリアを含む、パッケージングされたコイル状コラーゲンキャリアに関する。コンテナは、たとえば封止することによって、汚染および／もしくは劣化の防止ならびに／またはコイル状コラーゲンキャリアの形状安定性の保持が可能である。コンテナは、封止することによって、汚染および／または水等の溶媒の吸収を防止するのが好ましい。一実施形態において、コンテナはさらに、シリカゲル等の乾燥剤を内部に配置可能である。
【０１０４】
一実施形態において、コンテナは、内側コンテナ（カバーを備えたコンテナ部）および外側コンテナ（第２のコンテナ）を備えることができる。一部の好適な実施形態において、内側コンテナは、円筒の断片として成形された空洞の形態の区画を備え、円筒断片の湾曲部が少なくとも１８０°で延伸し、好ましくは切り取り式または脆弱なホイルであるカバーにより上記区画が封止されている。外側コンテナは、封止された内側コンテナが乾燥剤とともに内部に配置された封止ポーチを備えているのが好ましい。
【０１０５】
また、本発明に係るパッケージングされたコイル状コラーゲンキャリアは、パッケージを開けずに目視検査できるように構成され、コイル状コラーゲンキャリアを含むパッケージがＸ線、高エネルギーＸ線、ガンマ線放射、電子ビーム、または紫外光等の放射無菌化に曝されたか否かを示すラベルをさらに備えることができる。このラベルは、たとえば外側コンテナの外部に配置可能である。
【０１０６】
また、本発明に係るパッケージングされたコイル状コラーゲンキャリアは、最小量の空気が内部に存在し、好ましくは空気が内部に存在しない無菌プラスチックバッグであって、たとえば手術等に用いた場合に、コイル状コラーゲンキャリアが体液によって活性化しないようにするのに特に適したバッグを備えることもできる。この薄いプラスチックバッグは、たとえばバッグに入ったコラーゲンキャリアを患者の体内部位に送り込み、コラーゲンキャリアを非コイル状にする前にプラスチックバックを除去することによって、本発明に係るパッケージングされたコイル状コラーゲンキャリアのパッケージを開放した後に、任意選択として使用してもよい。
【０１０７】
本発明の一実施形態は、本発明に係るプロセスに関し、上記コラーゲンキャリアの密度は３．０〜４．５ｍｇ／ｃｍ３の範囲である。なお、本発明のコラーゲンキャリアの密度は、コーティング層を除いたコラーゲンキャリアの密度である。
【０１０８】
また、留意すべきこととして、本発明の一態様の文脈において記載した実施形態および特徴は、本発明のその他の態様にも当てはまる。すなわち、ロール状圧縮コラーゲンキャリアに関するすべての態様は、圧縮コラーゲンキャリア、ロール状コラーゲンキャリア、または展開したロール状圧縮コラーゲンキャリアにも当てはまる。
【０１０９】
本願に引用するすべての特許文献および非特許文献は、その全体を本明細書中に参考として援用する。
【０１１０】
本発明の別の態様は、１もしくは複数の防水材を含むバッグもしくはポーチまたはそれらから成るバッグもしくはポーチに関し、このバッグは、本発明のロール状コラーゲンキャリアを含む。したがって、本発明はさらに、１もしくは複数の防水材を含むバッグもしくはポーチまたはそれらから成るバッグもしくはポーチに関し、このバッグは、コラーゲン層および当該コラーゲン層の上のコーティング層を備えたコイル状コラーゲンキャリアを含む。コーティング層は、トロンビンおよびフィブリノゲンを含む。コイル状コラーゲンキャリアは、長手軸周りに当該コラーゲンキャリアが多重巻きされ、コーティング層が各外側巻部の外面を構成するように当該キャリアの少なくとも１つの外側巻部が配向した細長要素の形状を有する。また、コイル状コラーゲンキャリアは、形状安定であって、コイル状構成のコラーゲンキャリアを規定し、外側巻部が当該コラーゲンキャリアの断面における螺旋に沿って進行する。上記バッグまたはポーチは、無菌であるのが好ましい。
【０１１１】
本発明での使用に適した防水材の例としては、１もしくは複数のプラスチック（たとえば、ＰＶＣおよび／もしくはＸ線検出可能なプラスチック）ならびに／またはアルミホイル等の柔軟ホイルが挙げられる。この材料は、バッグまたはポーチの形態で操作を容易に行えるように、柔軟であるものとする。
【０１１２】
コイル状コラーゲンキャリアの生産
コイル状コラーゲンキャリアは、以下のプロセスにより生産してもよい。本明細書に記載のコラーゲンキャリアは、そのコーティングに溶媒（通常はエタノール）を適用することによって増湿する。この増湿によって、コーティングが軟化される。また、コラーゲンキャリアは、増湿しなくても柔軟であるが、増湿したコラーゲンキャリアをコイル状にしてもよい。ただし、プロセスにおいては、コイリングに先立って増湿コラーゲンキャリアを圧縮するのが好都合となる場合があることが分かっており、そのため、一対のローラー間の間隙に増湿コラーゲンキャリアを通過させることによって圧縮を実行可能である（この間隙は、増湿コラーゲンキャリアの厚さよりも小さい）。
【０１１３】
コイリングは通常、縁部に沿ってコラーゲンキャリアを把持するとともに当該コラーゲンキャリアをコイル状にするための回転可能な把持手段（通常は一対のピンセットまたはハサミとして具現化される）を備えたコイリング装置と、コイリング時にコラーゲンキャリアを支持する支持装置とによって行う。
【０１１４】
支持装置は、コイリング時に回転可能な把持手段が端部を通って延伸する開口チャネル状の空洞として形成してもよい。
【０１１５】
コイリング後は、回転可能な把持手段を引き抜き、コイル状のコラーゲンキャリアを乾燥させることによって、余分な溶媒を除去する。コイル状コラーゲンキャリアは、乾燥させると形状安定になって、支持装置から安全に取り外し可能となる。
【０１１６】
コイル状コラーゲンキャリアを提供する装置の一例を図８に示す。この装置は、図示のように多数の要素を備えているが、特に、本明細書に開示のコラーゲンキャリアのコイリングに先立って水分４０をコラーゲンキャリア１６に付与する装置を備える。
【０１１７】
水分４を付与する装置は、コラーゲンキャリアのコーティング層の表面４１を向いた噴霧ノズル４２を備え、この噴霧ノズル４２は、溶媒の霧状物または噴霧として液滴を提供する。噴霧ノズル４２においては、無菌空気の助けを借りて液滴が生成されるため、エタノールが無菌空気と混ざり合う。
【０１１８】
このように、コラーゲンキャリアは、そのコーティング表面が上方を向いて噴霧ノズル４２に面した状態で配向している。溶媒は、コラーゲンキャリアのコーティングに浸透して、当該コラーゲンキャリア４１のコーティングを軟化させる。コラーゲンキャリアは、その全体を増湿することも可能であるが、コーティング層またはその上部のみを増湿すれば十分であることが分かっている。
【０１１９】
コラーゲンキャリアは、コンベヤベルト５１により搬送されて、噴霧ノズル４２を通り過ぎる。
【０１２０】
この装置４８は、保湿コラーゲンキャリアを縁部に沿って把持するとともに、コイリングによりコイル状コラーゲンキャリア１６を形成するように構成されたコイリング装置４３をさらに備える。コイリング装置４３は、コラーゲンキャリアの縁部４５に沿って当該コラーゲンキャリアを把持するための回転可能な把持手段４４であって、当該把持手段４４の長手延伸部に平行な軸の周りに当該把持手段４４を回転させることによってコラーゲンキャリアをコイル状にする把持手段４４を備える。
【０１２１】
縁部４５に沿って把持するとともに把持手段４３を回転させることによって、好ましくはコイリング時にコラーゲンキャリアが支持された状態で、当該コラーゲンキャリアを所望の形状にコイリング可能である。コイリング装置４３は、コイリングを確実に行うとともにコイル状コラーゲンキャリア１６の形状規定を支援するため、コイリング時にコラーゲンキャリアを支持する支持装置４６をさらに備える。通常、支持装置４３は、把持手段４４に対して相対的に配置された空洞であり、コラーゲンキャリアの少なくとも一部がコイリング時に空洞の内面の少なくとも一部と隣接することによって、支持装置４６の表面が対圧手段として作用する。上述の通り、支持装置４６の表面形状は、コイル状コラーゲンキャリア１６の形状規定を少なくとも支援する。
【０１２２】
把持装置４４は、一対のピンセットまたはハサミ等の一対の細長部材４７を備える。細長部材４７は、コラーゲンキャリアの幅に適合した長手延伸部を有する（コラーゲンキャリアの幅は、細長部材４７の延伸部に平行な寸法と考えられる）。これにより、コラーゲンキャリアは、細長部材４７により、全幅に沿って縁部で把持される。
【０１２３】
コラーゲンキャリアの把持は、２つの細長部材４７間にコラーゲンキャリアが配置された後に、細長部材４７の回転によってコイリングを提供するのに十分な把持を与える程度に細長部材４７間の距離を縮めることによって実現する。
【０１２４】
図８に示すように、支持装置４６は、細長部材が延伸する少なくとも１つの開口端を有する円筒の断片として成形された底部を含む空洞であり、円筒断片の湾曲部が少なくとも１８０°で延伸している。図８に示す実施形態において、円筒断片は、１８０°で延伸している。このため、図８の実施形態において、空洞は、底部から延びた２つの平行な側壁８ａによりチャネル状に形成されている。この空洞の構成により、断面が大略Ｕ字状で、底部がＵ字状断面の湾曲部を構成し、各側壁８ａがＵ字状断面の直線部を構成したチャネルが提供される。
【０１２５】
把持装置４４の細長部材４７は、開口端を通って支持装置８の空洞内に延びている。細長部材４７はさらに引き抜き可能であって、コラーゲンキャリアがコイル状となり支持装置４６の空洞に配置され、コラーゲンキャリアの端部５２が支持装置の空洞の壁に隣接した際に、細長部材４７をコイル状コラーゲンキャリア１６から引き抜く。細長部材４７は、その長手延伸部と平行な方向に引き抜く。別のコラーゲンキャリアをコイル状にする場合は、細長部材４７を引き抜き時と反対の方向に移動させて、支持装置４６の空洞内に再導入する。さらに、細長部材４７を開放する。すなわち、２つの部材間の間隙が増湿・圧縮したコラーゲンキャリアの厚さよりも大きく、細長部材９は、両者間にコラーゲンキャリアを容易に受け入れられる。「引き抜き可能」とは、コイリングを行った後に細長部材９をコイル状コラーゲンキャリアから取り外し可能であり、一般的には、コイリングを行った位置から取り外し可能であることを表すのが好ましい。したがって、「引き抜き可能」は、「引き込み可能」であることも含むものと考えられる。
【０１２６】
このように、図８の装置は、一対の細長部材４７を往復運動させるように構成されているため、コラーゲンキャリアをコイル状にした後、細長部材を引き込み可能である。
【０１２７】
装置４８は、圧縮装置をさらに備える。圧縮装置は、保湿コラーゲンキャリアのコイリングに先立って、保湿コラーゲンキャリアを圧縮するように構成されている。すなわち、図８に示すように、圧縮装置は、水分４０を付与する装置の後段かつコイリング装置４３の前段に配置されている。
【０１２８】
圧縮装置は、一対のローラー５０を備えており、その間隙のサイズは、一連のローラー５０を通過する前のコラーゲンキャリアの厚さよりも小さく、保湿コラーゲンキャリアのコイリングに先立って、保湿コラーゲンキャリアを圧縮するように構成されている。圧縮は、ローラー間の間隙が保湿コラーゲンキャリアの厚さよりも小さいことからもたらされる。図８に示すように、ローラー５０は逆方向に回転することによって、当該一対のローラー５０を介してコラーゲンキャリアをコイリング装置４３側に搬送する。
【０１２９】
ローラー間の間隙のサイズは、所望の圧縮比が得られるように選択する。通常、間隙サイズの好ましい値は、０．５ｍｍ以下、好ましくは０．６ｍｍ以下もしくは０．５〜１．０ｍｍ、または０．７５ｍｍ以下である。ただし、間隙サイズは、所望の圧縮比が得られるように、コラーゲンキャリア３の厚さに従って選択するものとする。
【０１３０】
形状安定コイル状コラーゲンキャリアの一例を図７に示す。図中、形状安定コイル状コラーゲンキャリアは、コンテナ部の区画内に配置されている。
【０１３１】
以下、添付の図面を参照して、本発明およびその特に好適な実施形態をより詳細に説明する。図面は、本発明を実施する方法を示しており、添付の特許請求の範囲に含まれるその他考え得る実施形態に限定されるものと解釈すべきではない。
【図面の簡単な説明】
【０１３２】
【図１】本発明の好適な一実施形態に係る、形状安定コイル状コラーゲンキャリアを格納するためのパッケージのコンテナ部の３次元概略図であって、上側の図がコンテナ部の上面斜視図、下側の図がコンテナ部の下面斜視図である。
【図２】本発明の好適な一実施形態に係る、図１に示したコンテナ部のカバーの３次元概略図であって、コンテナ部に適用されたカバーの上面斜視図である。
【図３】図１のコンテナ部の正投影図であって、表面にラベル「ＰＥＴ」が押型されており、ハッチングした領域は、カバーをコンテナ部の上面に入熱溶接する領域を示し、区画内の点線は、コイル状コラーゲンキャリアの位置を示している。
【図４】本発明に係る、コイル状コラーゲンキャリアを含む図１および図２のコンテナ部が内部に配置された第２のコンテナをさらに備えたパッケージの３次元概略図であって、図４ａは、封止状態の第２のコンテナの外部を示し、図４ｂは、図１および図２に示したコンテナ部およびカバーを明瞭化のためだけに除去した開放状態の第２のコンテナの内部を示している（図示の第２のコンテナは、図１および図２に示したカバー付きコンテナ部を収容するように構成されているが、図１および図２に示したものよりも長いカバー付きコンテナ部を収容していてもよく、同じことが図５および図６にも当てはまる）。
【図５】窪みに乾燥剤が存在する第２のコンテナの３次元概略図である。
【図６】コンテナ部およびカバーが存在する第２のコンテナの３次元概略図である。
【図７】形状安定コイル状コラーゲンキャリアを含み、カバーを一部取り外したコンテナ部の写真である。
【図８】本発明に係るコイル状コラーゲンキャリアを提供する装置の好適な一実施形態の概略図である。
【０１３３】
好適な実施形態の詳細な説明
以下、添付の図面を参照して、形状安定コイル状コラーゲンキャリア１６を格納するためのパッケージ１を提示する。図１は、本発明に係るパッケージ１のコンテナ部３を示しており、上側の図が上面斜視図、下側の図が下面斜視図である。
【０１３４】
本発明に係るパッケージは、以下に詳しく開示する通りカバーで閉塞された区画４に形状安定コイル状コラーゲンキャリア２を格納する。このような形状安定コイル状コラーゲンキャリアは、コラーゲン層と、トロンビンおよびフィブリノゲンを含むコーティング層とを備え、長手軸周りに当該コラーゲンキャリアが多重巻きされ、コーティング層が各外側巻部の外面を構成するように少なくとも１つの外側巻部が配向した細長要素の形状を有する。
【０１３５】
図１に示すように、パッケージ１は、コイル状コラーゲンキャリア１６の少なくとも一部が含まれた区画４を有するコンテナ部３を備える（図１には、明瞭化のためだけにコイル状コラーゲンキャリアを示していない）。多くの好適な実施形態においては、コイル状コラーゲンキャリア１６の全体が区画４に含まれる。すなわち、コラーゲンキャリア１６のうち、区画４から延出している部分はない。コンテナ部３および一部取り外したカバー７の写真である図７は、全体が区画４内に配置された形状安定コイル状コラーゲンキャリア１６を示している。
【０１３６】
区画４は、コンテナ部３の上面１４に設けられた開口５を有するという意味において、端部が開口した区画である。開口５は、上面１４の平面内において区画４全体に延びた２次元平面と考えるのが好ましい。開口端部は、開口５の周縁と称する。
【０１３７】
また、図１に示すように、コンテナ部３は、少なくとも１つの空洞６を備える。空洞６は、指先または用具のコイル状コラーゲンキャリア１６へのアクセスを可能とする指先または用具の通路として機能するため、区画４に含まれるコイル状コラーゲンキャリア１６に対して容易にアクセスできるように設計されている。なお、コイル状コラーゲンキャリア１６のサイズに対する区画４のサイズは、（たとえば区画に対するコイル状コラーゲンキャリアの摺動によって壊れる危険性を最小限に抑えるため）コイル状コラーゲンキャリアが安定して区画に嵌るように選定することが多い。このため、一部の実施形態において、開口は、コラーゲンキャリアに対して幅が高々０．５〜５ｍｍ大きく、長さも高々０．５〜５ｍｍ大きく、たとえば、コラーゲンキャリアに対して幅が高々２ｍｍ大きく、長さも高々２ｍｍ大きいだけである。
【０１３８】
開口５は、空洞６上まで延びていないと考えるのが好ましい。したがって、開口５の周縁は、上面１４の平面によって規定される平面上への区画４の最外延伸部の投影と考えるのが好ましい。このため、空洞が存在しない領域においては、区画４と上面１４間の縁部と上記周縁が一致する。空洞が存在する領域においては、上面１４と区画４間の縁部が存在せず、上記周縁は、空洞６の両側で当該周縁を接続する線と考えるのが好ましい。たとえば図３を参照して、上記周縁は、幅１１．４ｍｍ、長さ６０ｍｍで示された領域の外縁に一致している。
【０１３９】
図１に示す実施形態において、空洞６は、開口５の周縁に位置し、区画４および上面１４へと開口している。このため、コイル状コラーゲンキャリアは、持ち上げ可能である。すなわち、一般的には、指先または用具（たとえば、把持具）を空洞６内に配置することによって区画から取り出し可能である。また、コイル状コラーゲンキャリアは、その端部を隣接または把持した状態で、区画４からの吊り出しまたは持ち出しが可能である。
【０１４０】
開口５は、直径および長さを有する実質的に円筒状の要素の形状を通常有するコイル状コラーゲンキャリアの区画４に設けられるように、一般的には矩形状であり、開口の長さおよび幅は、コイル状コラーゲンキャリアの長さおよび直径よりもそれぞれ大きい。直径が１０ｍｍで、長さが５５ｍｍオーダーの形状安定コイル状コラーゲンキャリアを格納するように構成されたコンテナ部３の好ましい寸法を図３に示す。図中の値はすべて、ｍｍ単位である。コンテナ部３を構成するシート材の厚さは、０．５ｍｍである。
【０１４１】
図１に示す実施形態において、区画は、長さ、幅、および深さを有する実質的に直方体の形状である。なお、「直方体」は、（図１に示すように）長さ、幅、および深さが等しくない形状を含む広い意味で使用している。深さは、開口５から区画４の底部までとして測定され、長さは、長さと幅のうちの長い方である。「実質的に直方体」とは、区画４の縁部および角部が丸みを帯びており、区画４の壁部が傾斜していてもよいことを表すのが好ましい。後者の場合、区画は、錐台または錐体として成形されていてもよい。ただし、一般的には、区画の壁が垂直であるのが好ましい。これについては、図３においてより容易に見受けられる。
【０１４２】
図１に示す実施形態において、空洞６は、開口５の短辺のうちの一方すなわち区画４の端部に位置する。ただし、別の空洞６が存在することならびに／または（１もしくは複数の）空洞６の位置を特定の要件に応じて選択することも考えられる。たとえば、２つの空洞６が存在し、一方が区画４の端部に配置されており、両端においてコイル状コラーゲンキャリアにアクセス可能となっていてもよい。
【０１４３】
さらに、空洞６は、開口５の長辺のうちの一方または両方に位置していてもよい。開口５の長辺に沿って位置する空洞６は、中間でコイル状コラーゲンキャリアへのアクセスが可能となるように、長辺の中間に配置するのが好ましい。
【０１４４】
空洞は、上面１４から延び、区画４へと開口している。したがって、空洞６は、開口５の周縁の外部における上面１４の位置から区画４の底部に向かって延びた壁または少なくとも１つの壁部６ａを備える。図１に示す実施形態において、空洞６の壁または壁部の延伸始点位置は、空洞６と上面１４間の縁部である。上記壁または壁部は、区画の底部に向かって実質的に深く延びており、コイル状コラーゲンキャリアへのアクセスを可能としている。これは、区画４の高さの少なくとも半分ほどの位置までを意味することが多い。図１において、上記壁は、区画４の深さｄ（底部の厚さを含む）の６０％である距離ｈだけ延伸している。また、図１に示すように、空洞６の壁または壁部は、傾斜して延びている（図３の側面図も参照）。ただし、上記壁または壁部は、曲率半径を有する曲線に沿って延びる等、湾曲して延びていてもよい。
【０１４５】
また、図１に示すように、空洞６とコンテナ部３の上面１４間に形成された縁部は、楕円の切片に沿って延びている。これが好ましい場合もあるが、この縁部は、他の態様で延びていてもよい。図１に示す実施形態において、空洞６は、円筒の断片として形成されている。
【０１４６】
パッケージは、その開口５を覆うカバー７（図２参照）をさらに備える。図２に示すように、カバーは、コンテナ部３の上面１４に一致した形状を有し、そのため、コンテナ部３に取り付けた場合に、当該コンテナ部３の上面１４全体にわたって延伸する。ただし、カバーは、開口５および空洞６のみを覆う形状を有していてもよい。
【０１４７】
カバー７は、手動で取り外しできるように、コンテナ部３に取り付けられている。「手動で取り外し」とは、指の使用により、好ましくは用具を使用しないでカバーを取り外し可能であることを表すのが好ましい。
【０１４８】
したがって、カバー７は、入熱溶接または接着によって、コンテナ部３の上面１４に取り付けられている。図１に示す実施形態において、カバー７は、入熱溶接によって取り付けられている。
【０１４９】
図１に示す実施形態において、カバー７は、開口５および空洞６ならびに下方に突出する支持要素１１の開口を取り囲むコンテナ部３の外周縁１３に沿って、当該コンテナ部３に取り付けられている。図１においては、外周縁１３に沿ったハッチング１５により入熱溶接部を示している。
【０１５０】
図１に示すように、入熱溶接部は、カバー７がコンテナ部３に取り付けられていない部位１７を提供する。カバーのこの部分は、図２で符号７ｂを付して示されているように、コンテナ部３に取り付けられていないプルタブ７ｂとして機能する。カバーを取り外す際には、指（または用具）でこのプルタブを把持し、カバー７を引っ張るようにしてもよい。コンテナ部３を（たとえば、指または用具の使用により）固定または保持することによるこの引っ張り動作の反作用として、入熱溶接部が徐々に破れ、カバー７がコンテナ部３から取り外される。
【０１５１】
コイリングの後、コイル状コラーゲンキャリアは、水分（エタノール、イソプロパノール、および／または水等の溶媒）を含んでいる場合があるため、コイル状コラーゲンキャリアを区画４内に配置してコンテナ部３にカバー７を適用した後に、そのような水分がコイル状コラーゲンキャリアから逃げられるようになっているのが望ましい場合が多い。このため、カバー７は、気体および／または液体が透過可能な透過性材料で構成されているのが好ましい。
【０１５２】
カバーは、ＤｕＰｏｎｔＴＭ製の材料Ｔｙｖｅｋ（登録商標）（当該材料の詳細については、以下に示す）すなわち医療用高密度ポリエチレンホイルで構成されている場合が多い。カバーの厚さは、通常０．２５ｍｍである。
【０１５３】
図１に示すパッケージは、コンテナ部の長手延伸部（９２ｍｍ、図３参照）に対して少なくとも５０倍小さな厚さを有する材料のシートで構成されている。したがって、コンテナ部３は、シート状と考えられる。区画４および空洞６は、このシート中の凹部として形成されている。
【０１５４】
図１に示すパッケージのコンテナ部３は、ポリエチレンテレフタレート（ＰＥＴ）等のプラスチックで構成されており（パッケージの材料の詳細については、上述するとともに以下にも記載する）、たとえば射出成形、ブロー成形、真空成形、または回転成形により熱成形したものである。
【０１５５】
コンテナ部３の上面１４は、水平と考えられる。なお、「水平」とは、図１の向きに対して用いており、地平線（水平線）に一致するものと限定的に解釈すべきではない。これに合わせて、図１に示すように、区画４は直方体状であり、水平な底部９、２つの側壁７、および端壁８を備える。２つの側壁７および端壁８は、垂直から傾斜していてもよく、この場合、区画４は錐台または錐体の形状を有する。ただし、図１に示す実施形態において、側壁７および端壁８は、実質的に垂直に延びた壁である。コンテナ部３の生産時に用いたモールドから容易に取り外せるように、垂直からわずかに逸れているのが望ましい場合もある。
【０１５６】
図１の実施形態において、底部９と側壁７および端壁８との交差部は、それぞれ丸みを帯びている。これは特に、生産時のモールドから容易に取り外せるようにすることおよび／またはコイル状コラーゲンキャリアの実質的に円筒状の形状を反映して当該コイル状コラーゲンキャリアを収容することにより、たとえばカバー７付きコンテナ３の取り扱いによって壊れる危険性の少ないより安全なコイル状コラーゲンキャリアの保管を可能とすることを目的としていてもよい。
【０１５７】
上記開示の通り、空洞６は通常、たとえば区画の高さの半分未満または少なくとも半分ほどの位置まで、上面１４の水平位置から区画４の底部に向かって延びている。一部の実施形態において、空洞６は、区画４の底部まで延びている。
【０１５８】
上述の通り、カバー７は、物質が透過可能な透過性材料で構成されている。コイル状コラーゲンキャリアを封止するとともに制御雰囲気中で保管するため、パッケージ１は、コイル状コラーゲンキャリアを含むコンテナ部３およびカバー７が内部に配置された第２のコンテナ１０（図４参照）をさらに備える（図６参照）。
【０１５９】
図４〜図６を参照して、第２のコンテナ１０は、液密材料で構成され、閉じると液密になる。さらに、図４ａに示すコンテナは、生産ラインから外れて皺のない状態を示している。図４ｂ、図５、および図６に示すコンテナには、その手動での取り扱いに起因する皺が見受けられる。
【０１６０】
図４〜図６の実施形態において、第２のコンテナ１０は、開放時に引っ張って使用するプルタブ２２ａ、２２ｂが設けられるようにシートの周縁で接着または入熱溶接した２枚の材料シートにより形成されている。あるいは、第２のコンテナ１０は、折り曲げてから接着または入熱溶接する１枚のシートにより形成されていてもよい。また、第２のコンテナは、カバー７付きコンテナ部３を収容するように構成された区画２３を備える。
【０１６１】
図４に示すパッケージは、第２のコンテナ１０の内部かつコイル状コラーゲンキャリアを含むコンテナ部３およびカバー７の外部に配置された乾燥剤２１を備える。図３に示す実施形態において、乾燥剤２１は、第２のコンテナ１０の区画２３に設けられた窪み１８内に配置されている（図ｂｂに示すように、第２のコンテナ１０の内部から見た場合）。
【０１６２】
乾燥剤は、鉄含有非晶質シリカの粒径０．２ｍｍ〜１．５ｍｍの粒状オレンジゲルである乾燥材を含むのが好ましい。組成は、合成非晶質シリカが９３ｗ／ｗ％超、鉄含有硫酸アンモニウムが５ｗ／ｗ％未満、水が５ｗ／ｗ％未満である。この乾燥材は、継ぎ目を溶接したＴｙｖｅｋ（登録商標）等の透過性材料で構成されたバッグ内に配置されている。
【０１６３】
図４〜図６の第２のコンテナ１０は、コイル状コラーゲンキャリアを含むコンテナ部３、カバー７、および乾燥剤が内部に配置されたポーチの形態と考えられる。このポーチは、プルタブを有し、形成時の接着または溶接の強度があることから、破るか引っ張って開けることができる。
【０１６４】
図４〜図６に示す第２のコンテナ１０は、アルミニウムを含むホイルまたはアルミニウムから成るホイルで構成され、一巻きのホイルからシートを押し出して作成したのち、溶接または接着している。ホイルの厚さは、０．２５ｍｍである。
【０１６５】
特に好適な一実施形態において、外側コンテナ１０は、以下の組成のアルミニウム積層ホイルＰＡ２５／ＡＬ４５／ＰＥ４０で構成されている。
ＯＰＡ（配向ポリアミド）ホイル（ナイロン６）  ２５．０μｍ
ポリウレタンベースの接着剤（ＡＤ２７４６）  ３ｇ／ｍ２
金ラッカー（外側）  ２ｇ／ｍ２
アルミニウムストリップＡＬ９８．６  ４５μｍ
ポリウレタンベースの接着剤（ＡＤ２７４６）  ３ｇ／ｍ２
ＰＥ（ポリエチレン）剥離ホイル  ４０．０μｍ
アルミニウムタイプａｃｃ〜ＡＡ８０２１（Ｂ）  ＡｌＦｅ１．５
コーティング製剤（水ベース、溶媒フリー、ＯＢＡ（蛍光増白剤）フリー）
リサイクル材料なし
【０１６６】
再び図１を参照する。図１に示すように、コンテナ部３は、区画４の底部の外面の下方または同じ高さにおける共通水平面内に分布した一連の支持点または支持面１２を規定する１または複数の支持要素１１をさらに備えていてもよい。図１に示す実施形態においては、このような支持要素１１が４つ存在し、支持点または支持面１２が底部９の外部に分布している。「底部９の外部に分布」とは、底部から離れて分布し、底部の一部を構成していないことを表す。コンテナ部３は、好ましくは熱可塑性プラスチック等の１または複数のプラスチック、好ましくはたとえばＰＢＴ（ポリブチレンテレフタレート）、ＰＥＴＧ（グリコール変性ポリエチレンテレフタレート）、およびＰＥＴ（ポリエチレンテレフタレート）から選択される熱可塑性ポリエステル、好ましくはＰＥＴで構成可能である。
【０１６７】
図１に示すように、支持要素１１は、コンテナ部３における凹部として形成された下方突出要素である。また、支持要素１１は、区画４と同様に、好ましくは区画４と同時に生成する。
【０１６８】
図１の実施形態において、支持点または支持面１２は、外接矩形に含まれ、当該外接矩形の角部が当該支持点または各面１２の角部によって規定され、当該外接矩形の幾何学的中心と区画４の底部の外面の幾何学的中心とが一致する。区画４および支持要素１１のこの特定の構成には、特に、外接矩形が長辺および短辺を有することから、コンテナ部３を容易に配向可能という利点がある。このことを利用して、たとえば外接矩形を反映した窪みをコンベヤに成形することにより、コンテナ部３を所定の向きでのみ受けることができる。さらに、支持要素１１が底部９の外部に分布していることから、傾斜の危険性なく、コンテナ部３を表面上に配置可能である。
【０１６９】
コンテナ部およびカバーに用いる材料
通常、コンテナ部（３）は、以下に適合したＰＥＴ−ＧＡＧで構成されている。
・食品と接触する材料および物品の適合宣言
・２００２／７２／ＥＣおよびその付則（食品と接触するプラスチック材料および物品に関する２００２年８月６日のＣＯＭＭＩＳＳＩＯＮ  ＤＩＲＥＣＴＩＶＥ  ２００２／７２／ＥＣ）（現行１０／２０１１／ＥＣ）
・１９３５／２００４／ＥＣ（食品と接触する材料および物品に関する２００４年１０月２７日のＲＥＧＵＬＡＴＩＯＮ（ＥＣ）Ｎｏ  １９３５／２００４  ＯＦ  ＴＨＥ  ＥＵＲＯＰＥＡＮ  ＰＡＲＬＩＡＭＥＮＴ  ＡＮＤ  ＯＦ  ＴＨＥ  ＣＯＵＮＣＩＬ）
・９４／６２／ＥＣおよびその付則（パッケージおよびパッケージ廃棄物に関する１９９４年１２月２０日のＥｕｒｏｐｅａｎ  Ｐａｒｌｉａｍｅｎｔ  ａｎｄ  Ｃｏｕｎｃｉｌ  Ｄｉｒｅｃｔｉｖｅ  ９４／６２／ＥＣ）
・ＣＦＲ２１第１７０〜１９９部に準拠
・ＵＳＰ＜６６１＞「物理化学試験」に適合
・ＤＭＦ  Ｎｏ  ３７６４
・フタル酸エステル類フリー
・ＩＳＯ  １１６０７−１：２００９（Ｐａｃｋａｇｉｎｇ  ｆｏｒ  ｔｅｒｍｉｎａｌｌｙ  ｓｔｅｒｉｌｉｚｅｄ  ｍｅｄｉｃａｌ  ｄｅｖｉｃｅｓ．Ｒｅｑｕｉｒｅｍｅｎｔｓ  ｆｏｒ  ｍａｔｅｒｉａｌｓ，ｓｔｅｒｉｌｅ  ｂａｒｒｉｅｒ  ｓｙｓｔｅｍｓ  ａｎｄ  ｐａｃｋａｇｉｎｇ  ｓｙｓｔｅｍｓ）に適合
・ＩＳＯ  ９００１認証
・ＢｒＣ：ＩｏＰ認証
【０１７０】
通常、カバー７は、ＤｕＰｏｎｔＴＭ製のＴｙｖｅｋ（登録商標）で構成されるとともに、以下に適合する。
・９４／６２／ＥＣおよびその付則
・食品と接触する材料および物品の適合宣言
・２００２／７２／ＥＣおよびその付則
・１９３５／２００４／ＥＣ
・２０２３／２００６／ＥＣ（食品と接触する材料および物品の適正製造基準に関する２００６年１２月２２日のＣＯＭＭＩＳＳＩＯＮ  ＲＥＧＵＬＡＴＩＯＮ（ＥＣ）Ｎｏ  ２０２３／２００６）
・フタル酸エステル類フリー
・ＤＭＦ  Ｎｏ  １８９３
・ＣＦＲ２１第１７６．１７０（ｃ）部に準拠
・ＩＳＯ  １１６０７−１：２００９に適合
・ＩＳＯ  １３４８５：２００３認証
【０１７１】
コイル状被覆キャリアを含むバッグまたはポーチ
本明細書には、コイル状被覆キャリアを含み、１もしくは複数の防水材を含むバッグもしくはポーチまたはそれらから成るバッグもしくはポーチをさらに開示している。特に、本明細書には、１もしくは複数の防水材を含むバッグもしくはポーチまたはそれらから成るバッグもしくはポーチをさらに開示している。このバッグは、コラーゲン層および当該コラーゲン層の上のコーティング層を備えたコイル状コラーゲンキャリアを含む。コーティング層は、トロンビンおよびフィブリノゲンを含む。コイル状コラーゲンキャリアは、長手軸周りに当該コラーゲンキャリアが多重巻きされ、コーティング層が各外側巻部の外面を構成するように当該キャリアの少なくとも１つの外側巻部が配向した細長要素の形状を有する。また、コイル状コラーゲンキャリアは、形状安定であって、コイル状構成のコラーゲンキャリアを規定し、外側巻部が当該コラーゲンキャリアの断面における螺旋に沿って進行する。
【０１７２】
上記バッグまたはポーチは、無菌であるのが好ましい。本発明の一実施形態において、コラーゲンは、適用に先立って、バッグまたはポーチ内に予めパッケージングされている。
【０１７３】
上記バッグまたはポーチは、すべての辺で封止（たとえば、熱封止）することによって完全防水としてもよい。あるいは、上記バッグまたはポーチは、１または複数の端部または辺で開封することにより、コイル状コラーゲンキャリアを容易に取り出し可能となっていてもよい。あるいは、上記バッグまたはポーチは、切断により開封可能である。あるいは、フラップまたは剥離式フラップもしくはストリップ等を引っ張ることによって、容易に開封可能であってもよい。
【０１７４】
本明細書において、「防水」材は、標準温度および圧力下で相対的に水の影響を受けない任意の材料または水もしくは水分の侵入に耐える任意の材料を表す。このような防水材を用いることによって、手術の準備中および／または手術中に本発明のコイル状／ロール状コラーゲンキャリアが血液等の液体に接触することを抑制または防止可能である。
【０１７５】
本発明での使用に適した防水材の例としては、１もしくは複数のプラスチック（たとえば、ＰＶＣおよび／もしくはＸ線検出可能なプラスチック、ポリウレタン、またはポリウレタン被覆ナイロン）ならびに／またはアルミホイル等の柔軟ホイルが挙げられる。手術用プラスチックは、たとえば手術用ポリ塩化ビニル（ＰＶＣ）、ポリエチレンテレフタレート、ポリウレタン、および手術用シリコンゴム材料等、適当な防水材の好適な一群である。この材料は、バッグまたはポーチの形態で操作を容易に行えるように、柔軟であるものとする。一部の例においては、透明ＰＶＣのような透明な手術用プラスチック等の透明防水材を用いてもよい。上記バッグまたはポーチは、無菌であるのが好ましい。
【０１７６】
以上、具体的な実施形態に関連して本発明を説明したが、本発明は、何ら提示の実施例に限定されるものと解釈すべきではない。本発明の範囲は、添付の特許請求の範囲によって設定される。各請求項の文脈において、用語「備える」または「含む」（ｃｏｍｐｒｉｓｉｎｇまたはｃｏｍｐｒｉｓｅｓ）は、他の考え得る要素またはステップを除外するものではない。また、「ａ」または「ａｎ」等の参照の言及は、複数を除外するものと解釈すべきではない。また、図面に示す要素に関し、各請求項において参照符号を使用しているが、これによって、本発明の範囲を限定するものと解釈しない。さらに、異なる請求項に記載の個々の特徴は、有利に組み合わせ可能であってもよく、異なる請求項におけるこれら特徴の言及は、特徴の組み合わせが不可能または不都合であることを除外するものではない。
【図１】
2015525090.tif 000003
【図２】
2015525090.tif 000004
【図３】
2015525090.tif 000005
【図４ａ】
2015525090.tif 000006
【図４ｂ】
2015525090.tif 000007
【図５】
2015525090.tif 000008
【図６】
2015525090.tif 000009
【図７】
2015525090.tif 000010
【図８】
2015525090.tif 000011
【手続補正書】
【提出日】平成26年3月7日(2014.3.7)
【手続補正１】
【補正対象書類名】特許請求の範囲
【補正対象項目名】全文
【補正方法】変更
【補正の内容】
【特許請求の範囲】
【請求項１】
パッケージ（１）であって、該パッケージ（１）は形状安定コイル状コラーゲンキャリアを含み、該形状安定コイル状コラーゲンキャリアは、コラーゲン層と、トロンビンおよびフィブリノゲンを含むコーティング層とを備え、長手軸周りに当該コラーゲンキャリアが多重巻きされ、前記コーティング層が各外側巻部の外面を構成するように少なくとも１つの当該外側巻部が配向した細長要素の形状を有する、パッケージ（１）において、
前記コイル状コラーゲンキャリア（２）の少なくとも一部が含まれた区画（４）を有するコンテナ部（３）であって、当該区画（４）が当該コンテナ部（３）の上面（１４）に設けられた開口（５）を有する、コンテナ部（３）と、
前記開口（５）の周縁に位置する少なくとも１つの空洞（６）であって、前記区画（４）および前記上面（１４）へと開口した、空洞（６）と、
を備えたパッケージ（１）。
【請求項２】
前記開口（５）が大略矩形状であって、当該開口の長さおよび幅が、前記コイル状コラーゲンキャリアの長さおよび直径よりもそれぞれ大きい、請求項１に記載のパッケージ。
【請求項３】
空洞（６）が、前記開口（５）の短辺のうちの一方に位置する、請求項２に記載のパッケージ。
【請求項４】
空洞（６）が、前記開口（５）の長辺のうちの一方に位置する、請求項１〜３のいずれか一項に記載のパッケージ。
【請求項５】
前記空洞（６）が、前記開口（５）の周縁の外部における前記上面（１４）の位置から前記区画（４）の底部に向かって延びた壁部（６ａ）を備え、当該空洞の壁部が傾斜または湾曲して延びた、請求項２に記載のパッケージ。
【請求項６】
前記パッケージの前記開口（５）を覆うカバー（７）を備えた、請求項１〜５のいずれか一項に記載のパッケージ。
【請求項７】
前記カバー（７）が、指の使用等により手動で取り外し可能なように前記コンテナ部（３）に取り付けられた、請求項６に記載のパッケージ。
【請求項８】
前記カバー（７）が、入熱溶接または接着によって、前記コンテナ部（３）の上面（１４）に取り付けられた、請求項６または７に記載のパッケージ。
【請求項９】
前記カバー（７）が、前記開口（５）および前記空洞（６）を取り囲む前記コンテナ部（３）の外周縁（１３）に沿って当該コンテナ部（３）に取り付けられた、請求項６〜８のいずれか一項に記載のパッケージ。
【請求項１０】
前記カバー（７）が、前記コンテナ部（３）に取り付けられていないプルタブ（７ｂ）を有する、請求項６〜９のいずれか一項に記載のパッケージ。
【請求項１１】
前記カバー（７）が、気体および／または液体透過性である、請求項１〜１０のいずれか一項に記載のパッケージ。
【請求項１２】
前記カバーが、医療用高密度ポリエチレン封止カバーホイルで構成された、請求項１１に記載のパッケージ。
【請求項１３】
前記コンテナ部（３）がシート状であり、前記区画（４）および前記空洞（６）が当該シート中の凹部として形成された、請求項１〜１２のいずれか一項に記載のパッケージ。
【請求項１４】
前記コンテナ部（３）が、ポリエチレンテレフタレート（ＰＥＴ）等のプラスチックで構成された、請求項１〜１３のいずれか一項に記載のパッケージ。
【請求項１５】
前記コンテナ部（３）が、射出成形、ブロー成形、真空成形、または回転成形等により熱成形された、請求項１〜１４のいずれか一項に記載のパッケージ。
【請求項１６】
前記コンテナ部（３）の上面（１４）が水平であり、前記区画（４）が直方体状であって、水平な底部（９）、２つの側壁（７）、および端壁（８）を備えた、請求項１〜１５のいずれか一項に記載のパッケージ。
【請求項１７】
前記底部（９）と前記側壁（７）および前記端壁（８）との交差部が、それぞれ丸みを帯びた、請求項１６に記載のパッケージ。
【請求項１８】
前記空洞（６）が、前記上面（１４）の水平高さから前記区画（４）の底部に向かって、当該区画（４）の高さの少なくとも半分ほどの位置等まで延びた、請求項１６または１７に記載のパッケージ。
【請求項１９】
コイル状コラーゲンキャリアを含む前記コンテナ部（３）および前記カバー（７）が内部に配置された第２のコンテナ（１０）をさらに備え、当該第２のコンテナ（１０）が、液密材料で構成され、閉じると液密になる、請求項６〜１８のいずれか一項に記載のパッケージ。
【請求項２０】
前記第２のコンテナ（１０）の内部かつコイル状コラーゲンキャリアを含む前記コンテナ部（３）および前記カバー（７）の外部に配置された乾燥剤をさらに備えた、請求項１９に記載のパッケージ。
【請求項２１】
前記第２のコンテナ（１０）が、コイル状コラーゲンキャリアを含む前記コンテナ部（３）、前記カバー（７）、および前記乾燥剤が内部に配置され、破るか引っ張って開けられるポーチの形態である、請求項１９または２０に記載のパッケージ。
【請求項２２】
前記第２のコンテナ（１０）が、アルミニウムを含むホイルまたはアルミニウムから成るホイルで構成された、請求項１９〜２１のいずれか一項に記載のパッケージ。
【請求項２３】
前記コンテナ部（３）が、前記区画（４）の底部（９）の外面の下方または同じ高さにおける共通水平面内に分布した一連の支持点または支持面（１２）を規定する１または複数の支持要素（１１）をさらに備え、当該支持点または支持面（１２）が当該底部（９）の外部に分布した、請求項１〜２２のいずれか一項に記載のパッケージ。
【請求項２４】
前記支持要素（１１）が、前記コンテナ部（３）における凹部として形成された下方突出要素である、請求項２３に記載のパッケージ。
【請求項２５】
前記支持点または支持面（１２）が外接矩形に含まれ、当該外接矩形の角部が、当該支持点または各面（１２）の角部によって規定され、当該外接矩形の幾何学的中心と前記区画（４）の底部の外面の幾何学的中心とが一致した、請求項２３または２４に記載のパッケージ。
【国際調査報告】
2015525090.tif 000012
2015525090.tif 000013